(57)【要約】  データ伝送方法及びネットワークデバイスを提供する。非アクティブ状態での端末デバイスに応用されるデータ伝送方法であって、当該非アクティブ状態は、当該端末デバイスと当該第１のネットワークデバイスの両方が当該端末デバイスのコンテキスト情報を保持しており、当該第１のネットワークデバイスとコアネットワークデバイスとの間で当該端末デバイスの通信接続を保持しており、当該方法は、当該第１のネットワークデバイスが第２のネットワークデバイスを介して当該端末デバイスに当該端末デバイスの下りデータを送信することを含み、当該第１のネットワークデバイスが当該第２のネットワークデバイスと異なる。本発明の実施例に係る方法は、第２のネットワークデバイスが該下りデータを送信することにより、データ伝送の成功率を効果的に向上させ、ユーザ体験を向上させることができる。
2020536399.tif 000002
【特許請求の範囲】
【請求項１】
非アクティブ状態での端末デバイスに応用されるデータ伝送方法であって、
前記非アクティブ状態は、前記端末デバイス及び前記第１のネットワークデバイスの双方が前記端末デバイスのコンテキスト情報を保持しており、前記第１のネットワークデバイスとコアネットワークデバイスとの間で前記端末デバイスの通信接続を保持しており、
前記方法は、
前記第１のネットワークデバイスが第２のネットワークデバイスを介して前記端末デバイスに前記端末デバイスの下りデータを送信することを含み、
前記第１のネットワークデバイスが前記第２のネットワークデバイスと異なる
ことを特徴とするデータ伝送方法。
【請求項２】
前記第１のネットワークデバイスが第２のネットワークデバイスを介して前記端末デバイスに前記端末デバイスの下りデータを送信することは、
前記第１のネットワークデバイスが前記コアネットワークデバイスにより送信された前記下りデータを受信し、前記端末デバイスへの第１のページングメッセージの送信に失敗した場合、前記第２のネットワークデバイスを介して前記端末デバイスに前記下りデータを送信することを含む
ことを特徴とする請求項１に記載のデータ伝送方法。
【請求項３】
前記第１のネットワークデバイスが第２のネットワークデバイスを介して前記端末デバイスに前記端末デバイスの下りデータを送信する前に、前記方法は、さらに、
前記第１のネットワークデバイスが第１のトンネルを介して前記第２のネットワークデバイスに前記下りデータを転送することを含み、
前記第１のトンネルは、前記第２のネットワークデバイスにより確立された、前記第１のネットワークデバイスから前記第２のネットワークデバイスへのトンネルである
ことを特徴とする請求項２に記載のデータ伝送方法。
【請求項４】
前記第１のトンネルは、前記第２のネットワークデバイスが前記コアネットワークデバイスにより送信された前記第１のネットワークデバイスの識別子情報及び第１の指示情報に基づいて確立したものであり、前記第１の指示情報は、前記第２のネットワークデバイスが前記第１のトンネルを確立するように指示する
ことを特徴とする請求項３に記載のデータ伝送方法。
【請求項５】
前記第１のネットワークデバイスが第１のトンネルを介して前記第２のネットワークデバイスに前記下りデータを転送する前に、前記方法は、さらに、
前記第１のネットワークデバイスが前記コアネットワークデバイスに第２の指示情報を送信することを含み、前記第２の指示情報は、前記コアネットワークデバイスが前記第１のコンテキスト情報、及び前記第１のネットワークデバイスと前記コアネットワークデバイスとの前記端末デバイスの通信接続を保持するために用いられる
ことを特徴とする請求項３又は４に記載のデータ伝送方法。
【請求項６】
前記第１のネットワークデバイスが前記コアネットワークデバイスに第２の指示情報を送信することは、
前記第１のネットワークデバイスが前記コアネットワークデバイスにページング要求メッセージを送信することを含み、前記ページング要求メッセージは、前記コアネットワークデバイスが前記端末デバイスに第２のページングメッセージを送信するように要求し、前記ページング要求メッセージは前記第２の指示情報を含む
ことを特徴とする請求項５に記載のデータ伝送方法。
【請求項７】
前記第１のネットワークデバイスが第２のネットワークデバイスを介して前記端末デバイスに前記端末デバイスの下りデータを送信することは、
前記コアネットワークデバイスが第３のトンネルを介して前記第２のネットワークデバイスに前記下りデータを転送するように、前記第１のネットワークデバイスが第２のトンネルを介して前記コアネットワークデバイスに前記下りデータを転送することを含み、
前記第２のトンネルは、前記コアネットワークデバイスにより確立された、前記第１のネットワークデバイスから前記コアネットワークデバイスへのトンネルであり、前記第３のトンネルは、前記第２のネットワークデバイスにより確立された、前記コアネットワークデバイスから前記第２のネットワークデバイスへのトンネルである
ことを特徴とする請求項２に記載のデータ伝送方法。
【請求項８】
前記第２のトンネルは、前記コアネットワークデバイスが前記第１のネットワークデバイスにより送信された第３の指示情報に基づいて確立したものであり、前記第３の指示情報は、前記コアネットワークデバイスが前記第２のトンネルを確立するように指示する
ことを特徴とする請求項７に記載のデータ伝送方法。
【請求項９】
前記第３の指示情報は、前記コアネットワークデバイスが前記第１のコンテキスト情報、及び前記第１のネットワークデバイスと前記コアネットワークデバイスとの間の前記端末デバイスの通信接続を保持するように指示する
ことを特徴とする請求項８に記載のデータ伝送方法。
【請求項１０】
前記第１のネットワークデバイスが第２のトンネルを介して前記コアネットワークデバイスに前記下りデータを転送する前に、前記方法は、さらに、
前記第１のネットワークデバイスが前記コアネットワークデバイスに前記第３の指示情報を送信することを含む
ことを特徴とする請求項７〜９のいずれか１項に記載のデータ伝送方法。
【請求項１１】
前記第１のネットワークデバイスが前記コアネットワークデバイスに前記第３の指示情報を送信することは、
前記第１のネットワークデバイスが前記コアネットワークデバイスにページング要求メッセージを送信することを含み、前記ページング要求メッセージは、前記コアネットワークデバイスが前記端末デバイスに第２のページングメッセージを送信するように要求し、前記ページング要求メッセージが前記第３の指示情報を含む
ことを特徴とする請求項１０に記載のデータ伝送方法。
【請求項１２】
前記第３のトンネルは、前記第２のネットワークデバイスが前記コアネットワークデバイスにより送信された第４の指示情報に基づいて確立したものであり、前記第４の指示情報は、前記第２のネットワークデバイスが前記第３のトンネルを確立するように指示する
ことを特徴とする請求項７に記載のデータ伝送方法。
【請求項１３】
前記第１のネットワークデバイスが第２のネットワークデバイスを介して前記端末デバイスに前記端末デバイスの下りデータを送信することは、
前記第１のネットワークデバイスが、前記コアネットワークデバイスにより送信された前記下りデータを受信し、前記第２のネットワークデバイスにより送信された第５の指示情報を受信した場合、前記第２のネットワークデバイスを介して前記端末デバイスに前記下りデータを送信することを含み、前記第５の指示情報は、前記第１のネットワークデバイスが前記第２のネットワークデバイスに前記下りデータを転送するための第１のトンネルを確立することを前記第２のネットワークデバイスに指示する
ことを特徴とする請求項１に記載のデータ伝送方法。
【請求項１４】
前記第１のネットワークデバイスが第２のネットワークデバイスを介して前記端末デバイスに前記端末デバイスの下りデータを送信する前に、前記方法は、さらに、
前記第１のネットワークデバイスが前記第２のネットワークデバイスにより送信されたコンテキスト要求メッセージを受信することを含み、前記コンテキスト要求メッセージは、前記第１のコンテキスト情報を要求するために用いられ、前記コンテキスト要求メッセージは前記第５の指示情報を含む
ことを特徴とする請求項１３に記載のデータ伝送方法。
【請求項１５】
前記方法は、さらに、
前記第１のネットワークデバイスが前記コアネットワークデバイスにより送信された通知情報を受信することを含み、前記通知情報は、前記第１のネットワークデバイスが前記第１のコンテキスト情報、及び前記第１のネットワークデバイスと前記コアネットワークデバイスとの間の前記端末デバイスの通信接続を解放するように通知する
ことを特徴とする請求項１〜１４のいずれか１項に記載のデータ伝送方法。
【請求項１６】
非アクティブ状態での端末デバイスに応用されるデータ伝送方法であって、
前記非アクティブ状態は、前記端末デバイス及び前記第１のネットワークデバイスの双方が前記端末デバイスのコンテキスト情報を保持しており、前記第１のネットワークデバイスとコアネットワークデバイスとの間で前記端末デバイスの通信接続を保持しており、
前記方法は、
第２のネットワークデバイスが前記端末デバイスの下りデータを受信することと、
前記第２のネットワークデバイスが前記端末デバイスに前記下りデータを送信することとを含み、
前記第１のネットワークデバイスが前記第２のネットワークデバイスと異なる、
ことを特徴とするデータ伝送方法。
【請求項１７】
前記第２のネットワークデバイスが前記端末デバイスの下りデータを受信する前に、前記方法は、さらに、
前記第２のネットワークデバイスが第１のトンネルを確立することを含み、
前記第１のトンネルは、前記第１のネットワークデバイスから前記第２のネットワークデバイスへのトンネルであり、
前記第２のネットワークデバイスが前記端末デバイスの下りデータを受信することは、
前記第２のネットワークデバイスが前記第１のトンネルを介して前記第１のネットワークデバイスにより送信された下りデータを受信することを含む
ことを特徴とする請求項１６に記載のデータ伝送方法。
【請求項１８】
前記第２のネットワークデバイスが第１のトンネルを確立する前に、前記方法は、さらに、
前記第２のネットワークデバイスが前記コアネットワークデバイスにより送信された第１の指示情報を受信することを含み、
前記第１の指示情報は、前記第２のネットワークデバイスが前記第１のトンネルを確立するように指示する
ことを特徴とする請求項１７に記載のデータ伝送方法。
【請求項１９】
前記第２のネットワークデバイスが前記コアネットワークデバイスにより送信された第１の指示情報を受信することは、
前記第２のネットワークデバイスが前記コアネットワークデバイスにより送信されたコンテキスト確立要求メッセージを受信することを含み、
前記コンテキスト確立要求メッセージは、前記第２のネットワークデバイスが前記端末デバイスの第２のコンテキスト情報を確立するように要求し、前記コンテキスト確立要求メッセージは、前記第１の指示情報を含む
ことを特徴とする請求項１８に記載のデータ伝送方法。
【請求項２０】
前記第２のネットワークデバイスが前記端末デバイスの下りデータを受信する前に、前記方法は、さらに、
前記第２のネットワークデバイスが第３のトンネルを確立することを含み、
前記第３のトンネルは、前記コアネットワークデバイスから前記第２のネットワークデバイスへのトンネルであり、
前記第２のネットワークデバイスが前記端末デバイスの下りデータを受信することは、
前記第２のネットワークデバイスが前記第３のトンネルを介して前記コアネットワークデバイスにより送信された前記下りデータを受信することを含む
ことを特徴とする請求項１６に記載のデータ伝送方法。
【請求項２１】
前記第２のネットワークデバイスが第３のトンネルを確立する前に、前記方法は、さらに、
前記第２のネットワークデバイスが前記コアネットワークデバイスにより送信された第４の指示情報を受信することを含み、
前記第４の指示情報は、前記第２のネットワークデバイスが前記第３のトンネルを確立するように指示する
ことを特徴とする請求項２０に記載のデータ伝送方法。
【請求項２２】
前記第２のネットワークデバイスが前記コアネットワークデバイスにより送信された第４の指示情報を受信することは、
前記第２のネットワークデバイスが前記コアネットワークデバイスにより送信されたコンテキスト確立要求メッセージを受信することを含み、
前記コンテキスト確立要求メッセージは、前記第２のネットワークデバイスが前記端末デバイスの第２のコンテキスト情報を確立するように要求し、前記コンテキスト確立要求メッセージは前記第４の指示情報を含む
ことを特徴とする請求項２１に記載のデータ伝送方法。
【請求項２３】
前記第２のネットワークデバイスが前記端末デバイスの下りデータを受信する前に、前記方法は、さらに、
前記第２のネットワークデバイスが前記第１のネットワークデバイスに第５の指示情報を送信することを含み、
前記第５の指示情報は、前記第１のネットワークデバイスが前記第２のネットワークデバイスに前記下りデータを転送するための第１のトンネルを確立することを前記第２のネットワークデバイスに指示する
ことを特徴とする請求項１６に記載のデータ伝送方法。
【請求項２４】
前記第２のネットワークデバイスが前記第１のネットワークデバイスに第５の指示情報を送信することは、
前記第２のネットワークデバイスが前記第１のネットワークデバイスにコンテキスト要求メッセージを送信することを含み、
前記コンテキスト要求メッセージは、前記第１のコンテキスト情報を要求するために用いられ、前記コンテキスト要求メッセージは前記第５の指示情報を含む
ことを特徴とする請求項２３に記載のデータ伝送方法。
【請求項２５】
前記方法は、さらに、
前記第２のネットワークデバイスと前記端末デバイスとは、前記第２のネットワークデバイスと前記端末デバイスとの無線リソース制御ＲＲＣ接続を確立することを含む
ことを特徴とする請求項１６〜２４のいずれか１項に記載のデータ伝送方法。
【請求項２６】
非アクティブ状態での端末デバイスに応用されるデータ伝送方法であって、
前記非アクティブ状態は、前記端末デバイス及び前記第１のネットワークデバイスの双方が前記端末デバイスのコンテキスト情報を保持しており、前記第１のネットワークデバイスとコアネットワークデバイスとの間で前記端末デバイスの通信接続を保持しており、
前記方法は、
前記コアネットワークデバイスは、前記第２のネットワークデバイスが前記端末デバイスに前記下りデータを送信するように、前記第１のネットワークデバイスを介して第２のネットワークデバイスに前記端末デバイスの下りデータを転送することを含み、
前記第１のネットワークデバイスが前記第２のネットワークデバイスと異なる
ことを特徴とするデータ伝送方法。
【請求項２７】
前記コアネットワークデバイスが前記第１のネットワークデバイスを介して第２のネットワークデバイスに前記端末デバイスの下りデータを転送する前に、前記方法は、さらに、
前記コアネットワークデバイスが前記第２のネットワークデバイスに第１の指示情報を送信することを含み、
前記第１の指示情報は、前記第２のネットワークデバイスが第１のトンネルを確立するように指示し、前記第１のトンネルは、前記第１のネットワークデバイスが前記第２のネットワークデバイスに前記下りデータを転送するために用いられる
ことを特徴とする請求項２６に記載のデータ伝送方法。
【請求項２８】
前記コアネットワークデバイスが前記第１のネットワークデバイスを介して第２のネットワークデバイスに前記端末デバイスの下りデータを転送する前に、前記方法は、さらに、
前記コアネットワークデバイスが前記第１のネットワークデバイスにより送信された第２の指示情報を受信することを含み、
前記第２の指示情報は、前記コアネットワークデバイスが前記第１のコンテキスト情報、及び前記第１のネットワークデバイスと前記コアネットワークデバイスとの前記端末デバイスの通信接続を保持するように指示する
ことを特徴とする請求項２６又は２７に記載のデータ伝送方法。
【請求項２９】
前記コアネットワークデバイスが前記第１のネットワークデバイスにより送信された第２の指示情報を受信することは、
前記コアネットワークデバイスが前記第１のネットワークデバイスにより送信されたページング要求メッセージを受信することを含み、
前記ページング要求メッセージは、前記コアネットワークデバイスが前記端末デバイスに第２のページングメッセージを送信するように要求し、前記ページング要求メッセージは前記第２の指示情報を含む
ことを特徴とする請求項２８に記載のデータ伝送方法。
【請求項３０】
前記コアネットワークデバイスが前記第１のネットワークデバイスを介して第２のネットワークデバイスに前記端末デバイスの下りデータを転送する前に、前記方法は、さらに、
前記コアネットワークデバイスが第２のトンネルを確立することを含み、
前記第２のトンネルは、前記第１のネットワークデバイスから前記コアネットワークデバイスへのトンネルであり、
前記コアネットワークデバイスが前記第１のネットワークデバイスを介して第２のネットワークデバイスに前記端末デバイスの下りデータを転送することは、
前記コアネットワークデバイスが、前記コアネットワークデバイスが前記第３のトンネルを介して前記第２のネットワークデバイスに前記下りデータを送信するように、前記第２のトンネルを介して前記第１のネットワークデバイスにより送信された前記下りデータを受信することを含み、
前記第３のトンネルは、前記第２のネットワークデバイスにより確立された、前記コアネットワークデバイスから前記第２のネットワークデバイスへのトンネルである
ことを特徴とする請求項２６に記載のデータ伝送方法。
【請求項３１】
前記コアネットワークデバイスが第２のトンネルを確立する前に、前記方法は、さらに、
前記コアネットワークデバイスが前記第１のネットワークデバイスにより送信された第３の指示情報を受信することを含み、
前記第３の指示情報は、前記コアネットワークデバイスが前記第２のトンネルを確立するように指示する
ことを特徴とする請求項３０に記載のデータ伝送方法。
【請求項３２】
前記第３の指示情報は、前記コアネットワークデバイスが前記第１のコンテキスト情報、及び前記第１のネットワークデバイスと前記コアネットワークデバイスとの間の前記端末デバイスの通信接続を保持するように指示する
ことを特徴とする請求項３１に記載のデータ伝送方法。
【請求項３３】
前記コアネットワークデバイスが前記第１のネットワークデバイスにより送信された第３の指示情報を受信することは、
前記コアネットワークデバイスが前記第１のネットワークデバイスにより送信されたページング要求メッセージを受信することを含み、前記ページング要求メッセージは、前記コアネットワークデバイスが前記端末デバイスに第２のページングメッセージを送信するように要求し、前記ページング要求メッセージが前記第３の指示情報を含む
ことを特徴とする請求項３１又は３２に記載のデータ伝送方法。
【請求項３４】
前記コアネットワークデバイスが第３のトンネルを確立する前に、前記方法は、さらに、
前記コアネットワークデバイスが前記第２のネットワークデバイスに第４の指示情報を送信することを含み、前記第４の指示情報は、前記第２のネットワークデバイスが前記第３のトンネルを確立するように指示する
ことを特徴とする請求項３０に記載のデータ伝送方法。
【請求項３５】
前記コアネットワークデバイスが前記第２のネットワークデバイスに第４の指示情報を送信することは、
前記コアネットワークデバイスが前記第２のネットワークデバイスにコンテキスト確立要求メッセージを送信することを含み、
前記コンテキスト確立要求メッセージは、前記第２のネットワークデバイスが前記端末デバイスの第２のコンテキスト情報を確立するように要求し、前記コンテキスト確立要求メッセージは前記第４の指示情報を含む
ことを特徴とする請求項３４に記載のデータ伝送方法。
【請求項３６】
前記方法は、さらに、
前記コアネットワークデバイスが前記第１のネットワークデバイスに通知情報を送信することを含み、
前記通知情報は、前記第１のネットワークデバイスが前記第１のコンテキスト情報、及び前記第１のネットワークデバイスと前記コアネットワークデバイスとの前記端末デバイスの通信接続を解放するように通知する
ことを特徴とする請求項２６〜３５のいずれか１項に記載のデータ伝送方法。
【請求項３７】
第２のネットワークデバイスを介して端末デバイスに前記端末デバイスの下りデータを送信するように構成される送受信ユニットを含み、
前記端末デバイスが非アクティブ状態にあり、前記非アクティブ状態は、前記端末デバイスとネットワークデバイスとの両方が前記端末デバイスのコンテキスト情報を保持し、前記ネットワークデバイスとコアネットワークデバイスとの間に前記端末デバイスの通信接続を保持しており、前記ネットワークデバイスが前記第２のネットワークデバイスと異なる
ことを特徴とするネットワークデバイス。
【請求項３８】
前記送受信ユニットは、
前記コアネットワークデバイスにより送信された前記下りデータを受信し、前記端末デバイスへの第１のページングメッセージの送信が失敗した場合、前記第２のネットワークデバイスを介して前記端末デバイスに前記下りデータを送信するように構成される
ことを特徴とする請求項３７に記載のネットワークデバイス。
【請求項３９】
前記送受信ユニットは、さらに、
第２のネットワークデバイスを介して前記端末デバイスに前記端末デバイスの下りデータを送信する前に、第１のトンネルを介して前記第２のネットワークデバイスに前記下りデータを転送するように構成され、
前記第１のトンネルは、前記第２のネットワークデバイスにより確立された、前記ネットワークデバイスから前記第２のネットワークデバイスへのトンネルである
ことを特徴とする請求項３８に記載のネットワークデバイス。
【請求項４０】
前記第１のトンネルは、前記第２のネットワークデバイスが前記コアネットワークデバイスにより送信された前記ネットワークデバイスの識別子情報及び第１の指示情報に基づいて確立したものであり、前記第１の指示情報は、前記第２のネットワークデバイスが前記第１のトンネルを確立するように指示する
ことを特徴とする請求項３９に記載のネットワークデバイス。
【請求項４１】
前記送受信ユニットは、さらに、
第１のトンネルを介して前記第２のネットワークデバイスに前記下りデータを転送する前に、前記コアネットワークデバイスに第２の指示情報を送信するように構成され、
前記第２の指示情報は、前記コアネットワークデバイスが前記第１のコンテキスト情報、及び前記ネットワークデバイスと前記コアネットワークデバイスとの前記端末デバイスの通信接続を保持するように指示する
ことを特徴とする請求項３９又は４０に記載のネットワークデバイス。
【請求項４２】
前記送受信ユニットは、
前記コアネットワークデバイスにページング要求メッセージを送信するように構成され、
前記ページング要求メッセージは、前記コアネットワークデバイスが前記端末デバイスに第２のページングメッセージを送信するように要求し、前記ページング要求メッセージは前記第２の指示情報を含む
ことを特徴とする請求項４１に記載のネットワークデバイス。
【請求項４３】
前記送受信ユニットは、
前記コアネットワークデバイスが第３のトンネルを介して前記第２のネットワークデバイスに前記下りデータを転送するように、第２のトンネルを介して前記コアネットワークデバイスに前記下りデータを転送するように構成され、
前記第２のトンネルは、前記コアネットワークデバイスにより確立された、前記ネットワークデバイスから前記コアネットワークデバイスへのトンネルであり、
前記第３のトンネルは、前記第２のネットワークデバイスにより確立された、前記コアネットワークデバイスから前記第２のネットワークデバイスへのトンネルである
ことを特徴とする請求項３８に記載のネットワークデバイス。
【請求項４４】
前記第２のトンネルは、前記コアネットワークデバイスが前記ネットワークデバイスにより送信された第３の指示情報に基づいて確立したものであり、前記第３の指示情報は、前記コアネットワークデバイスが前記第２のトンネルを確立するように指示する
ことを特徴とする請求項４３に記載のネットワークデバイス。
【請求項４５】
前記第３の指示情報は、さらに、前記コアネットワークデバイスが前記第１のコンテキスト情報、及び前記ネットワークデバイスと前記コアネットワークデバイスとの前記端末デバイスの通信接続を保持するように指示する
ことを特徴とする請求項４４に記載のネットワークデバイス。
【請求項４６】
前記送受信ユニットは、さらに、
第２のトンネルを介して前記コアネットワークデバイスに前記下りデータを転送する前に、前記コアネットワークデバイスに前記第３の指示情報を送信するように構成される
ことを特徴とする請求項４３〜４５のいずれか１項に記載のネットワークデバイス。
【請求項４７】
前記送受信ユニットは、
前記コアネットワークデバイスにページング要求メッセージを送信するように構成され、
前記ページング要求メッセージは、前記コアネットワークデバイスが前記端末デバイスに第２のページングメッセージを送信するように要求し、前記ページング要求メッセージが前記第３の指示情報を含む
ことを特徴とする請求項４６に記載のネットワークデバイス。
【請求項４８】
前記第３のトンネルは、前記第２のネットワークデバイスが前記コアネットワークデバイスにより送信された第４の指示情報に基づいて確立したものであり、前記第４の指示情報は、前記第２のネットワークデバイスが前記第３のトンネルを確立するように指示する
ことを特徴とする請求項４３に記載のネットワークデバイス。
【請求項４９】
前記送受信ユニットは、
前記コアネットワークデバイスにより送信された前記下りデータを受信し、前記第２のネットワークデバイスにより送信された第５の指示情報を受信した場合、前記第２のネットワークデバイスを介して前記端末デバイスに前記下りデータを送信するように構成され、
前記第５の指示情報は、前記ネットワークデバイスが前記第２のネットワークデバイスに前記下りデータを転送するための第１のトンネルを確立することを前記第２のネットワークデバイスに指示する
ことを特徴とする請求項３７に記載のネットワークデバイス。
【請求項５０】
前記送受信ユニットは、さらに、
第２のネットワークデバイスを介して前記端末デバイスに前記端末デバイスの下りデータを送信する前に、前記第２のネットワークデバイスにより送信されたコンテキスト要求メッセージを受信するように構成され、
前記コンテキスト要求メッセージは、前記第１のコンテキスト情報を要求するために用いられ、前記コンテキスト要求メッセージは前記第５の指示情報を含む
ことを特徴とする請求項４９に記載のネットワークデバイス。
【請求項５１】
前記送受信ユニットは、さらに、
前記コアネットワークデバイスにより送信された通知情報を受信するように構成され、
前記通知情報は、前記ネットワークデバイスが前記第１のコンテキスト情報、及び前記ネットワークデバイスと前記コアネットワークデバイスとの前記端末デバイスの通信接続を解放するように通知する
ことを特徴とする請求項４７〜５０のいずれか１項に記載のネットワークデバイス。
【請求項５２】
端末デバイスの下りデータを受信し、前記端末デバイスに前記下りデータを送信するように構成される送受信ユニットを含み、
前記端末デバイスが非アクティブ状態にあり、前記非アクティブ状態は、前記端末デバイス及び前記第１のネットワークデバイスの双方が前記端末デバイスのコンテキスト情報を保持しており、前記第１のネットワークデバイスとコアネットワークデバイスとの間で前記端末デバイスの通信接続を保持しており、第１のネットワークデバイスが前記ネットワークデバイスと異なる
ことを特徴とするネットワークデバイス。
【請求項５３】
前記送受信ユニットは、
前記端末デバイスの下りデータを受信する前に、第１のトンネルを確立し、
前記第１のトンネルを介して前記第１のネットワークデバイスにより送信された下りデータを受信するように構成され、
前記第１のトンネルは、前記第１のネットワークデバイスから前記ネットワークデバイスへのトンネルである、
ことを特徴とする請求項５２に記載のネットワークデバイス。
【請求項５４】
前記送受信ユニットは、
前記コアネットワークデバイスにより送信された第１の指示情報を受信するように構成され、
前記第１の指示情報は、前記ネットワークデバイスが前記第１のトンネルを確立するように指示する
ことを特徴とする請求項５３に記載のネットワークデバイス。
【請求項５５】
前記送受信ユニットは、
前記コアネットワークデバイスにより送信されたコンテキスト確立要求メッセージを受信するように構成され、
前記コンテキスト確立要求メッセージは、前記ネットワークデバイスが前記端末デバイスの第２のコンテキスト情報を確立するように要求し、前記コンテキスト確立要求メッセージは、前記第１の指示情報を含む
ことを特徴とする請求項５４に記載のネットワークデバイス。
【請求項５６】
前記送受信ユニットは、
前記端末デバイスの下りデータを受信する前に、第３のトンネルを確立し、
前記第３のトンネルを介して前記コアネットワークデバイスにより送信された前記下りデータを受信するように構成され、
前記第３のトンネルは、前記コアネットワークデバイスから前記ネットワークデバイスへのトンネルである
ことを特徴とする請求項５２に記載のネットワークデバイス。
【請求項５７】
前記送受信ユニットは、さらに、
前記第３のトンネルを確立する前に、前記コアネットワークデバイスにより送信された第４の指示情報を受信するように構成され、
前記第４の指示情報は、前記ネットワークデバイスが前記第３のトンネルを確立するように指示する
ことを特徴とする請求項５６に記載のネットワークデバイス。
【請求項５８】
前記送受信ユニットは、
前記コアネットワークデバイスにより送信されたコンテキスト確立要求メッセージを受信するように構成され、
前記コンテキスト確立要求メッセージは、前記ネットワークデバイスが前記端末デバイスの第２のコンテキスト情報を確立するように要求し、前記コンテキスト確立要求メッセージは前記第４の指示情報を含む
ことを特徴とする請求項５７に記載のネットワークデバイス。
【請求項５９】
前記送受信ユニットは、さらに、
前記端末デバイスの下りデータを受信する前に、前記第１のネットワークデバイスに第５の指示情報を送信するように構成され、
前記第５の指示情報は、前記第１のネットワークデバイスが前記ネットワークデバイスに前記下りデータを転送するための第１のトンネルを確立することを前記ネットワークデバイスに指示する
ことを特徴とする請求項５２に記載のネットワークデバイス。
【請求項６０】
前記送受信ユニットは、
前記第１のネットワークデバイスにコンテキスト要求メッセージを送信するように構成され、
前記コンテキスト要求メッセージは、前記第１のコンテキスト情報を要求するために用いられ、前記コンテキスト要求メッセージは前記第５の指示情報を含む
ことを特徴とする請求項５９に記載のネットワークデバイス。
【請求項６１】
前記送受信ユニットは、さらに、
前記ネットワークデバイスと前記端末デバイスとの無線リソース制御ＲＲＣ接続を前記端末デバイスと確立するように構成される
ことを特徴とする請求項５２〜６０のいずれか１項に記載のネットワークデバイス。
【請求項６２】
第２のネットワークデバイスが端末デバイスに下りデータを送信するように、第１のネットワークデバイスを介して第２のネットワークデバイスに端末デバイスの下りデータを転送するように構成される送受信ユニットを含み、
前記端末デバイスが非アクティブ状態にあり、前記非アクティブ状態は、前記端末デバイスと前記第１のネットワークデバイスの両方が前記端末デバイスのコンテキスト情報を保持し、前記第１のネットワークデバイスと前記ネットワークデバイスとの間に前記端末デバイスの通信接続を保持しており、前記第１のネットワークデバイスが前記第２のネットワークデバイスと異なる
ことを特徴とするネットワークデバイス。
【請求項６３】
前記送受信ユニットは、さらに、
前記第１のネットワークデバイスを介して第２のネットワークデバイスに前記端末デバイスの下りデータを転送する前に、前記第２のネットワークデバイスに第１の指示情報を送信するように構成され、
前記第１の指示情報は、前記第２のネットワークデバイスが第１のトンネルを確立するように指示し、前記第１のトンネルは、前記第１のネットワークデバイスが前記第２のネットワークデバイスに前記下りデータを転送するために用いられる
ことを特徴とする請求項６２に記載のネットワークデバイス。
【請求項６４】
前記送受信ユニットは、さらに、
前記第１のネットワークデバイスを介して第２のネットワークデバイスに前記端末デバイスの下りデータを転送する前に、前記第１のネットワークデバイスにより送信された第２の指示情報を受信するように構成され、
前記第２の指示情報は、前記ネットワークデバイスが前記第１のコンテキスト情報、及び前記第１のネットワークデバイスと前記ネットワークデバイスとの前記端末デバイスの通信接続を保持するように指示する
ことを特徴とする請求項６２又は６３に記載のネットワークデバイス。
【請求項６５】
前記送受信ユニットは、
前記ネットワークデバイスが前記第１のネットワークデバイスにより送信されたページング要求メッセージを受信するように構成され、
前記ページング要求メッセージは、前記ネットワークデバイスが前記端末デバイスに第２のページングメッセージを送信するように要求し、前記ページング要求メッセージは前記第２の指示情報を含む
ことを特徴とする請求項６４に記載のネットワークデバイス。
【請求項６６】
前記送受信ユニットは、さらに、
前記第１のネットワークデバイスを介して第２のネットワークデバイスに前記端末デバイスの下りデータを転送する前に、第２のトンネルを確立し、
前記ネットワークデバイスが前記第３のトンネルを介して前記第２のネットワークデバイスに前記下りデータを送信するように、前記第２のトンネルを介して前記第１のネットワークデバイスにより送信された前記下りデータを受信するように構成され、
前記第２のトンネルは、前記第１のネットワークデバイスから前記ネットワークデバイスへのトンネルであり、
前記第３のトンネルは、前記第２のネットワークデバイスにより確立された、前記ネットワークデバイスから前記第２のネットワークデバイスへのトンネルである
ことを特徴とする請求項６２に記載のネットワークデバイス。
【請求項６７】
前記送受信ユニットは、さらに、
前記第２のトンネルを確立する前に、前記第１のネットワークデバイスにより送信された第３の指示情報を受信するように構成され、
前記第３の指示情報は、前記ネットワークデバイスが前記第２のトンネルを確立するように指示する
ことを特徴とする請求項６６に記載のネットワークデバイス。
【請求項６８】
前記第３の指示情報は、さらに、前記ネットワークデバイスが前記第１のコンテキスト情報、及び前記第１のネットワークデバイスと前記ネットワークデバイスとの前記端末デバイスの通信接続を保持するように指示する
ことを特徴とする請求項６７に記載のネットワークデバイス。
【請求項６９】
前記送受信ユニットは、
前記第１のネットワークデバイスにより送信されたページング要求メッセージを受信するように構成され、
前記ページング要求メッセージは、前記ネットワークデバイスが前記端末デバイスに第２のページングメッセージを送信するように要求し、前記ページング要求メッセージが前記第３の指示情報を含む
ことを特徴とする請求項６７又は６８に記載のネットワークデバイス。
【請求項７０】
前記送受信ユニットは、さらに、
前記第３のトンネルを確立する前に、前記第２のネットワークデバイスに第４の指示情報を送信するように構成され、
前記第４の指示情報は、前記第２のネットワークデバイスが前記第３のトンネルを確立するように指示する
ことを特徴とする請求項６６に記載のネットワークデバイス。
【請求項７１】
前記送受信ユニットは、前記ネットワークデバイスが前記第２のネットワークデバイスにコンテキスト確立要求メッセージを送信するように構成され、
前記コンテキスト確立要求メッセージは、前記第２のネットワークデバイスが前記端末デバイスの第２のコンテキスト情報を確立するように要求し、前記コンテキスト確立要求メッセージは前記第４の指示情報を含む
ことを特徴とする請求項７０に記載のネットワークデバイス。
【請求項７２】
前記送受信ユニットは、さらに、
前記第１のネットワークデバイスに通知情報を送信するように構成され、
前記通知情報は、前記第１のネットワークデバイスが前記第１のコンテキスト情報、及び前記第１のネットワークデバイスと前記ネットワークデバイスとの前記端末デバイスの通信接続を解放するように通知する
ことを特徴とする請求項６２〜７１のいずれか１項に記載のネットワークデバイス。
【発明の詳細な説明】
【技術分野】
【０００１】
本発明の実施例は、通信分野に関し、具体的に、データ伝送方法及びネットワークデバイスに関する。
【背景技術】
【０００２】
人々が速度、遅延、高速移動性、エネルギー効率に対する追求に従って、将来の生活におけるトラフィックが多様化、複雑化になる。
【０００３】
このために、第３世代パートナーシッププロジェクト( Ｔｈｅ  ３ｒｄ Ｇｅｎｅｒａｔｉｏｎ Ｐａｒｔｎｅｒｓｈｉｐ Ｐｒｏｊｅｃｔ、３ＧＰＰ )の国際標準団体は、第五代移動通信技術（５−Ｇｅｎｅｒａｔｉｏｎ、５Ｇ）の開発を開始した。５Ｇの主な適用シーンは、拡張モバイルウルトラワイドバンド( Ｅｎｈａｎｃｅ Ｍｏｂｉｌｅ Ｂｒｏａｄｂａｎｄ、ｅＭＢＢ )、低遅延高信頼通信( Ｕｌｔｒａ−Ｒｅｌｉａｂｌｅ ａｎｄ Ｌｏｗ Ｌａｔｅｎｃｙ Ｃｏｍｍｕｎｉｃａｔｉｏｎ、ＵＲＬＬＣ )、大規模機械タイプ通信( ｍａｓｓｉｖｅ ｍａｃｈｉｎｅ ｔｙｐｅ ｏｆ ｃｏｍｍｕｎｉｃａｔｉｏｎ、ｍＭＴＣ )である。
【０００４】
ここで、ＵＲＬＬＣの典型的な応用シーンには、工業自動化、電気自動化、遠隔医療操作(手術)、交通安全保障等がある。このＵＲＬＬＣタイプのトラフィックは、遅延要求が高く、ＲＲＣコネクションを迅速に確立する必要があり、更にトラフィックデータの送信を行うことが重要な意味を持つ。
【０００５】
５Ｇネットワーク環境では、エアポートシグナリングを低減し、無線接続を迅速に回復するために、データサービスを迅速に回復する目的で、新しい無線リソース制御( Ｒａｄｉｏ Ｒｅｓｏｕｒｃｅ Ｃｏｎｔｒｏｌ、ＲＲＣ )状態、すなわち、無線リソース制御非アクティブ( ＲＲＣ＿ＩＮＡＣＴＩＶＥ )状態が定義される。言い換えれば、端末デバイスがＲＲＣ＿ＩＮＡＣＴＩＶＥ状態にあるとき、下りデータが到着すると、コアネットワークは、データをあるネットワークデバイス(例えば、基地局)に送信し、当該ネットワークデバイスが端末デバイスへのページングメッセージをトリガし、端末デバイスが接続状態に遷移し又はデータを受信するように喚起する。
【０００６】
しかし、ネットワークデバイスによるページングメッセージの送信が失敗した場合、コアネットワークがページングメッセージを送信し、このとき、端末デバイスは、接続を再開始し、サービスの受信を行う。このような伝送メカニズムは、元のネットワークデバイスに残っているデータの損失を引き起こし、データ伝送の成功率およびユーザ体験を低下させる。
【発明の概要】
【０００７】
本願は、データ伝送の成功率や体験を効率的に向上させることができるデータ伝送方法及びネットワークデバイスを提供する。
【０００８】
第１の態様は、データ伝送方法を提供し、非アクティブ状態での端末デバイスに応用され、前記非アクティブ状態は、前記端末デバイス及び前記第１のネットワークデバイスの双方が前記端末デバイスのコンテキスト情報を保持しており、前記第１のネットワークデバイスとコアネットワークデバイスとの間で前記端末デバイスの通信接続を保持しており、
前記方法は、
前記第１のネットワークデバイスが第２のネットワークデバイスを介して前記端末デバイスに前記端末デバイスの下りデータを送信することを含み、前記第１のネットワークデバイスが前記第２のネットワークデバイスと異なる。
【０００９】
本発明の実施例における方法は、データ伝送の成功率や体験を効率的に向上させることができる。
【００１０】
いくつかの実現可能な態様において、前記第１のネットワークデバイスが第２のネットワークデバイスを介して前記端末デバイスに前記端末デバイスの下りデータを送信することは、
前記第１のネットワークデバイスが前記コアネットワークデバイスにより送信された前記下りデータを受信し、前記端末デバイスへの第１のページングメッセージの送信に失敗した場合、前記第２のネットワークデバイスを介して前記端末デバイスに前記下りデータを送信することを含む。
【００１１】
いくつかの実現可能な態様において、前記第１のネットワークデバイスが第２のネットワークデバイスを介して前記端末デバイスに前記端末デバイスの下りデータを送信する前に、前記方法は、さらに、
前記第１のネットワークデバイスが第１のトンネルを介して前記第２のネットワークデバイスに前記下りデータを転送することを含み、ここで、前記第１のトンネルは、前記第２のネットワークデバイスにより確立された前記第１のネットワークデバイスから前記第２のネットワークデバイスへのトンネルである。
【００１２】
本発明の実施例における方法は、第１のトンネルを確立して、データ伝送の成功率や体験を効率的に向上させることができる。
【００１３】
いくつかの実現可能な態様において、前記第１のトンネルは、前記第２のネットワークデバイスが前記コアネットワークデバイスにより送信された前記第１のネットワークデバイスの識別子情報及び第１の指示情報に基づいて確立したものであり、前記第１の指示情報は、前記第２のネットワークデバイスが前記第１のトンネルを確立するように指示する。
【００１４】
いくつかの実現可能な態様において、前記第１のネットワークデバイスが第１のトンネルを介して前記第２のネットワークデバイスに前記下りデータを転送する前に、前記方法は、さらに、
前記第１のネットワークデバイスが前記コアネットワークデバイスに第２の指示情報を送信することを含み、前記第２の指示情報は、前記コアネットワークデバイスが前記第１のコンテキスト情報、及び前記第１のネットワークデバイスと前記コアネットワークデバイスとの前記端末デバイスの通信接続を保持するために用いられる。
【００１５】
いくつかの実現可能な態様において、前記第１のネットワークデバイスが前記コアネットワークデバイスに第２の指示情報を送信することは、
前記第１のネットワークデバイスが前記コアネットワークデバイスにページング要求メッセージを送信することを含み、前記ページング要求メッセージは、前記コアネットワークデバイスが前記端末デバイスに第２のページングメッセージを送信するように要求し、前記ページング要求メッセージは前記第２の指示情報を含む。
【００１６】
いくつかの実現可能な態様において、前記第１のネットワークデバイスが第２のネットワークデバイスを介して前記端末デバイスに前記端末デバイスの下りデータを送信することは、
前記コアネットワークデバイスが第３のトンネルを介して前記第２のネットワークデバイスに前記下りデータを転送するように、前記第１のネットワークデバイスが第２のトンネルを介して前記コアネットワークデバイスに前記下りデータを転送することを含み、ここで、前記第２のトンネルは、前記コアネットワークデバイスにより確立された、前記第１のネットワークデバイスから前記コアネットワークデバイスへのトンネルであり、前記第３のトンネルは、前記第２のネットワークデバイスにより確立された、前記コアネットワークデバイスから前記第２のネットワークデバイスへのトンネルである。
【００１７】
本発明の実施例における方法は、第２のトンネルと第３のトンネルを確立して、データ伝送の成功率や体験を効率的に向上させることができる。
【００１８】
いくつかの実現可能な態様において、前記第２のトンネルは、前記コアネットワークデバイスが前記第１のネットワークデバイスにより送信された第３の指示情報に基づいて確立したものであり、前記第３の指示情報は、前記コアネットワークデバイスが前記第２のトンネルを確立するように指示する。
【００１９】
いくつかの実現可能な態様において、前記第３の指示情報は、前記コアネットワークデバイスが前記第１のコンテキスト情報、及び前記第１のネットワークデバイスと前記コアネットワークデバイスとの間の前記端末デバイスの通信接続を保持するように指示する。
【００２０】
いくつかの実現可能な態様において、前記第１のネットワークデバイスが第２のトンネルを介して前記コアネットワークデバイスに前記下りデータを転送する前に、前記方法は、さらに、
前記第１のネットワークデバイスが前記コアネットワークデバイスに前記第３の指示情報を送信することを含む
いくつかの実現可能な態様において、前記第１のネットワークデバイスが前記コアネットワークデバイスに前記第３の指示情報を送信することは、
前記第１のネットワークデバイスが前記コアネットワークデバイスにページング要求メッセージを送信することを含み、前記ページング要求メッセージは、前記コアネットワークデバイスが前記端末デバイスに第２のページングメッセージを送信するように要求し、前記ページング要求メッセージが前記第３の指示情報を含む。
【００２１】
いくつかの実現可能な態様において、前記第３のトンネルは、前記第２のネットワークデバイスが前記コアネットワークデバイスにより送信された第４の指示情報に基づいて確立したものであり、前記第４の指示情報は、前記第２のネットワークデバイスが前記第３のトンネルを確立するように指示する。
【００２２】
いくつかの実現可能な態様において、前記第１のネットワークデバイスが第２のネットワークデバイスを介して前記端末デバイスに前記端末デバイスの下りデータを送信することは、
前記第１のネットワークデバイスが、前記コアネットワークデバイスにより送信された前記下りデータを受信し、前記第２のネットワークデバイスにより送信された第５の指示情報を受信した場合、前記第２のネットワークデバイスを介して前記端末デバイスに前記下りデータを送信することを含み、前記第５の指示情報は、前記第１のネットワークデバイスが前記第２のネットワークデバイスに前記下りデータを転送するための第１のトンネルを確立することを前記第２のネットワークデバイスに指示する。
【００２３】
いくつかの実現可能な態様において、前記第１のネットワークデバイスが第２のネットワークデバイスを介して前記端末デバイスに前記端末デバイスの下りデータを送信する前に、前記方法は、さらに、
前記第１のネットワークデバイスが前記第２のネットワークデバイスにより送信されたコンテキスト要求メッセージを受信することを含み、前記コンテキスト要求メッセージは、前記第１のコンテキスト情報を要求するために用いられ、前記コンテキスト要求メッセージは前記第５の指示情報を含む。
【００２４】
いくつかの実現可能な態様において、前記方法は、さらに、
前記第１のネットワークデバイスが前記コアネットワークデバイスにより送信された通知情報を受信することを含み、前記通知情報は、前記第１のネットワークデバイスが前記第１のコンテキスト情報、及び前記第１のネットワークデバイスと前記コアネットワークデバイスとの間の前記端末デバイスの通信接続を解放するように通知する。
【００２５】
第２の態様は、データ伝送方法を提供し、非アクティブ状態での端末デバイスに応用され、前記非アクティブ状態は、前記端末デバイス及び前記第１のネットワークデバイスの双方が前記端末デバイスのコンテキスト情報を保持しており、前記第１のネットワークデバイスとコアネットワークデバイスとの間で前記端末デバイスの通信接続を保持しており、
前記方法は、
第２のネットワークデバイスが前記端末デバイスの下りデータを受信することと、前記第２のネットワークデバイスが前記端末デバイスに前記下りデータを送信することとを含み、前記第１のネットワークデバイスが前記第２のネットワークデバイスと異なる。
【００２６】
いくつかの実現可能な態様において、前記第２のネットワークデバイスが前記端末デバイスの下りデータを受信する前に、前記方法は、さらに、
前記第２のネットワークデバイスが第１のトンネルを確立することを含み、前記第１のトンネルは、前記第１のネットワークデバイスから前記第２のネットワークデバイスへのトンネルであり、ここで、前記第２のネットワークデバイスが前記端末デバイスの下りデータを受信することは、
前記第２のネットワークデバイスが前記第１のトンネルを介して前記第１のネットワークデバイスにより送信された下りデータを受信することを含む。
【００２７】
いくつかの実現可能な態様において、前記第２のネットワークデバイスが第１のトンネルを確立する前に、前記方法は、さらに、
前記第２のネットワークデバイスが前記コアネットワークデバイスにより送信された第１の指示情報を受信することを含み、前記第１の指示情報は、前記第２のネットワークデバイスが前記第１のトンネルを確立するように指示する。
【００２８】
いくつかの実現可能な態様において、前記第２のネットワークデバイスが前記コアネットワークデバイスにより送信された第１の指示情報を受信することは、
前記第２のネットワークデバイスが前記コアネットワークデバイスにより送信されたコンテキスト確立要求メッセージを受信することを含み、前記コンテキスト確立要求メッセージは、前記第２のネットワークデバイスが前記端末デバイスの第２のコンテキスト情報を確立するように要求し、前記コンテキスト確立要求メッセージは、前記第１の指示情報を含む。
【００２９】
いくつかの実現可能な態様において、前記第２のネットワークデバイスが前記端末デバイスの下りデータを受信する前に、前記方法は、さらに、
前記第２のネットワークデバイスが第３のトンネルを確立することを含み、前記第３のトンネルは、前記コアネットワークデバイスから前記第２のネットワークデバイスへのトンネルであり、ここで、前記第２のネットワークデバイスが前記端末デバイスの下りデータを受信することは、
前記第２のネットワークデバイスが前記第３のトンネルを介して前記コアネットワークデバイスにより送信された前記下りデータを受信することを含む。
【００３０】
いくつかの実現可能な態様において、前記第２のネットワークデバイスが第３のトンネルを確立する前に、前記方法は、さらに、
前記第２のネットワークデバイスが前記コアネットワークデバイスにより送信された第４の指示情報を受信することを含み、前記第４の指示情報は、前記第２のネットワークデバイスが前記第３のトンネルを確立するように指示する。
【００３１】
いくつかの実現可能な態様において、前記第２のネットワークデバイスが前記コアネットワークデバイスにより送信された第４の指示情報を受信することは、
前記第２のネットワークデバイスが前記コアネットワークデバイスにより送信されたコンテキスト確立要求メッセージを受信することを含み、前記コンテキスト確立要求メッセージは、前記第２のネットワークデバイスが前記端末デバイスの第２のコンテキスト情報を確立するように要求し、前記コンテキスト確立要求メッセージは前記第４の指示情報を含む。
【００３２】
いくつかの実現可能な態様において、前記第２のネットワークデバイスが前記端末デバイスの下りデータを受信する前に、前記方法は、さらに、
前記第２のネットワークデバイスが前記第１のネットワークデバイスに第５の指示情報を送信することを含み、前記第５の指示情報は、前記第１のネットワークデバイスが前記第２のネットワークデバイスに前記下りデータを転送するための第１のトンネルを確立することを前記第２のネットワークデバイスに指示する。
【００３３】
いくつかの実現可能な態様において、前記第２のネットワークデバイスが前記第１のネットワークデバイスに第５の指示情報を送信することは、
前記第２のネットワークデバイスが前記第１のネットワークデバイスにコンテキスト要求メッセージを送信することを含み、前記コンテキスト要求メッセージは、前記第１のコンテキスト情報を要求するために用いられ、前記コンテキスト要求メッセージは前記第５の指示情報を含む。
【００３４】
いくつかの実現可能な態様において、前記方法は、さらに、
前記第２のネットワークデバイスと前記端末デバイスとは、前記第２のネットワークデバイスと前記端末デバイスとの無線リソース制御ＲＲＣ接続を確立することを含む。
【００３５】
第３の態様は、データ伝送方法を提供し、非アクティブ状態での端末デバイスに応用され、前記非アクティブ状態は、前記端末デバイス及び前記第１のネットワークデバイスの双方が前記端末デバイスのコンテキスト情報を保持しており、前記第１のネットワークデバイスとコアネットワークデバイスとの間で前記端末デバイスの通信接続を保持しており、
前記方法は、
前記コアネットワークデバイスは、前記第２のネットワークデバイスが前記端末デバイスに前記下りデータを送信するように、前記第１のネットワークデバイスを介して第２のネットワークデバイスに前記端末デバイスの下りデータを転送することを含み、前記第１のネットワークデバイスが前記第２のネットワークデバイスと異なる。
【００３６】
いくつかの実現可能な態様において、前記コアネットワークデバイスが前記第１のネットワークデバイスを介して第２のネットワークデバイスに前記端末デバイスの下りデータを転送する前に、前記方法は、さらに、
前記コアネットワークデバイスが前記第２のネットワークデバイスに第１の指示情報を送信することを含み、前記第１の指示情報は、前記第２のネットワークデバイスが第１のトンネルを確立するように指示し、前記第１のトンネルは、前記第１のネットワークデバイスが前記第２のネットワークデバイスに前記下りデータを転送するために用いられる。
【００３７】
いくつかの実現可能な態様において、前記コアネットワークデバイスが前記第１のネットワークデバイスを介して第２のネットワークデバイスに前記端末デバイスの下りデータを転送する前に、前記方法は、さらに、
前記コアネットワークデバイスが前記第１のネットワークデバイスにより送信された第２の指示情報を受信することを含み、前記第２の指示情報は、前記コアネットワークデバイスが前記第１のコンテキスト情報、及び前記第１のネットワークデバイスと前記コアネットワークデバイスとの前記端末デバイスの通信接続を保持するように指示する。
【００３８】
いくつかの実現可能な態様において、前記コアネットワークデバイスが前記第１のネットワークデバイスにより送信された第２の指示情報を受信することは、
前記コアネットワークデバイスが前記第１のネットワークデバイスにより送信されたページング要求メッセージを受信することを含み、前記ページング要求メッセージは、前記コアネットワークデバイスが前記端末デバイスに第２のページングメッセージを送信するように要求し、前記ページング要求メッセージは前記第２の指示情報を含む。
【００３９】
いくつかの実現可能な態様において、前記コアネットワークデバイスが前記第１のネットワークデバイスを介して第２のネットワークデバイスに前記端末デバイスの下りデータを転送する前に、前記方法は、さらに、
前記コアネットワークデバイスが第２のトンネルを確立することを含み、前記第２のトンネルは、前記第１のネットワークデバイスから前記コアネットワークデバイスへのトンネルであり、ここで、前記コアネットワークデバイスが前記第１のネットワークデバイスを介して第２のネットワークデバイスに前記端末デバイスの下りデータを転送することは、
前記コアネットワークデバイスが、前記コアネットワークデバイスが前記第３のトンネルを介して前記第２のネットワークデバイスに前記下りデータを送信するように、前記第２のトンネルを介して前記第１のネットワークデバイスにより送信された前記下りデータを受信することを含み、前記第３のトンネルは、前記第２のネットワークデバイスにより確立された、前記コアネットワークデバイスから前記第２のネットワークデバイスへのトンネルである。
【００４０】
いくつかの実現可能な態様において、前記コアネットワークデバイスが第２のトンネルを確立する前に、前記方法は、さらに、
前記コアネットワークデバイスが前記第１のネットワークデバイスにより送信された第３の指示情報を受信することを含み、前記第３の指示情報は、前記コアネットワークデバイスが前記第２のトンネルを確立するように指示する。
【００４１】
いくつかの実現可能な態様において、前記第３の指示情報は、前記コアネットワークデバイスが前記第１のコンテキスト情報、及び前記第１のネットワークデバイスと前記コアネットワークデバイスとの間の前記端末デバイスの通信接続を保持するように指示する。
【００４２】
いくつかの実現可能な態様において、前記コアネットワークデバイスが前記第１のネットワークデバイスにより送信された第３の指示情報を受信することは、
前記コアネットワークデバイスが前記第１のネットワークデバイスにより送信されたページング要求メッセージを受信することを含み、前記ページング要求メッセージは、前記コアネットワークデバイスが前記端末デバイスに第２のページングメッセージを送信するように要求し、前記ページング要求メッセージが前記第３の指示情報を含む。
【００４３】
いくつかの実現可能な態様において、前記コアネットワークデバイスが第３のトンネルを確立する前に、前記方法は、さらに、
前記コアネットワークデバイスが前記第２のネットワークデバイスに第４の指示情報を送信することを含み、前記第４の指示情報は、前記第２のネットワークデバイスが前記第３のトンネルを確立するように指示する。
【００４４】
いくつかの実現可能な態様において、前記コアネットワークデバイスが前記第２のネットワークデバイスに第４の指示情報を送信することは、
前記コアネットワークデバイスが前記第２のネットワークデバイスにコンテキスト確立要求メッセージを送信することを含み、前記コンテキスト確立要求メッセージは、前記第２のネットワークデバイスが前記端末デバイスの第２のコンテキスト情報を確立するように要求し、前記コンテキスト確立要求メッセージは前記第４の指示情報を含む。
【００４５】
いくつかの実現可能な態様において、前記方法は、さらに、
前記コアネットワークデバイスが前記第１のネットワークデバイスに通知情報を送信することを含み、前記通知情報は、前記第１のネットワークデバイスが前記第１のコンテキスト情報、及び前記第１のネットワークデバイスと前記コアネットワークデバイスとの前記端末デバイスの通信接続を解放するように通知する。
【００４６】
第４の態様は、ネットワークデバイスを提供し、前記ネットワークデバイスは、
第２のネットワークデバイスを介して端末デバイスに前記端末デバイスの下りデータを送信するように構成される送受信ユニットを含み、前記端末デバイスが非アクティブ状態にあり、前記非アクティブ状態は、前記端末デバイスとネットワークデバイスとの両方が前記端末デバイスのコンテキスト情報を保持し、前記ネットワークデバイスとコアネットワークデバイスとの間に前記端末デバイスの通信接続を保持しており、前記ネットワークデバイスが前記第２のネットワークデバイスと異なる。
【００４７】
第５の態様は、ネットワークデバイスを提供し、前記ネットワークデバイスは、
第２のネットワークデバイスを介して端末デバイスに前記端末デバイスの下りデータを送信するように構成される送受信機を含み、前記端末デバイスが非アクティブ状態にあり、前記非アクティブ状態は、前記端末デバイスとネットワークデバイスとの両方が前記端末デバイスのコンテキスト情報を保持し、前記ネットワークデバイスとコアネットワークデバイスとの間に前記端末デバイスの通信接続を保持しており、前記ネットワークデバイスが前記第２のネットワークデバイスと異なる。
【００４８】
第６の態様は、ネットワークデバイスを提供し、前記ネットワークデバイスは、
端末デバイスの下りデータを受信し、前記端末デバイスに前記下りデータを送信するように構成される送受信ユニットを含み、
ここで、前記端末デバイスが非アクティブ状態にあり、前記非アクティブ状態は、前記端末デバイス及び前記第１のネットワークデバイスの双方が前記端末デバイスのコンテキスト情報を保持しており、前記第１のネットワークデバイスとコアネットワークデバイスとの間で前記端末デバイスの通信接続を保持しており、第１のネットワークデバイスが前記ネットワークデバイスと異なる。
【００４９】
第７の態様は、ネットワークデバイスを提供し、前記ネットワークデバイスは、
端末デバイスの下りデータを受信し、前記端末デバイスに前記下りデータを送信するように構成される送受信機を含み、
ここで、前記端末デバイスが非アクティブ状態にあり、前記非アクティブ状態は、前記端末デバイス及び前記第１のネットワークデバイスの双方が前記端末デバイスのコンテキスト情報を保持しており、前記第１のネットワークデバイスとコアネットワークデバイスとの間で前記端末デバイスの通信接続を保持しており、第１のネットワークデバイスが前記ネットワークデバイスと異なる。
【００５０】
第８の態様は、ネットワークデバイスを提供し、前記ネットワークデバイスは、
前記第２のネットワークデバイスが前記端末デバイスに前記下りデータを送信するように、第１のネットワークデバイスを介して第２のネットワークデバイスに端末デバイスの下りデータを転送するように構成される送受信ユニットを含み、前記端末デバイスが非アクティブ状態にあり、前記非アクティブ状態は、前記端末デバイス及び前記第１のネットワークデバイスの両方が前記端末デバイスのコンテキスト情報を保持しており、前記第１のネットワークデバイスと前記ネットワークデバイスとの間で前記端末デバイスの通信接続を保持しており、前記第１のネットワークデバイスが前記第２のネットワークデバイスと異なる。
【００５１】
第９の態様は、ネットワークデバイスを提供し、前記ネットワークデバイスは、
前記第２のネットワークデバイスが前記端末デバイスに前記下りデータを送信するように、第１のネットワークデバイスを介して第２のネットワークデバイスに端末デバイスの下りデータを転送するように構成される送受信機を含み、前記端末デバイスが非アクティブ状態にあり、前記非アクティブ状態は、前記端末デバイス及び前記第１のネットワークデバイスの両方が前記端末デバイスのコンテキスト情報を保持しており、前記第１のネットワークデバイスと前記ネットワークデバイスとの間で前記端末デバイスの通信接続を保持しており、前記第１のネットワークデバイスが前記第２のネットワークデバイスと異なる。
【００５２】
第１０の態様は、コンピュータプログラムを記憶するためのコンピュータ可読媒体を提供し、コンピュータプログラムが、上記の第１の態様または第２の態様または第３の態様の方法の実施例を実行するための命令を含む。
【００５３】
第１１の態様は、入力インターフェース、出力インターフェース、少なくとも１つのプロセッサ、及びメモリを備えるコンピュータチップを提供し、前記プロセッサは、メモリ内のコードを実行し、前記コードが実行されると、上記第１の態様又は上記第２の態様又は上記第３の態様の方法においてネットワークデバイスによって実行される様々なプロセスを実現する。
【００５４】
第１２の態様は、上記ネットワークデバイスを含む通信システムが提供する。
【図面の簡単な説明】
【００５５】
【図１】本発明の実施例における応用シーンの例である。
【図２】従来技術におけるデータ伝送方法のフローチャートである。
【図３】本発明の実施例におけるデータ伝送方法のフローチャートである。
【図４】本発明の実施例におけるデータ伝送方法の他のフローチャートである。
【図５】本発明の実施例におけるデータ伝送方法の他のフローチャートである。
【図６】本発明の実施例におけるデータ伝送方法の他のフローチャートである。
【図７】本発明の実施例におけるネットワークデバイスのブロック図である。
【図８】本発明の実施例における他のネットワークデバイスのブロック図である。
【発明を実施するための形態】
【００５６】
図１は本発明の実施例における通信システムの模式図である。
【００５７】
図１に示すように、通信システム１００は、端末デバイス１１０と、ネットワークデバイス１２０とを含む。ネットワークデバイス１２０は、エアポートを通じて端末デバイス１１０と通信する。端末デバイス１１０とネットワークデバイス１２０との間でマルチサービス伝送がサポートされる。ここで、端末デバイス１１０は、ＲＲＣ＿ＩＮＡＣＴＩＶＥ状態にある。
【００５８】
ここで、ＲＲＣ＿ＩＮＡＣＴＩＶＥ状態は、無線リソース制御アイドル( ＲＲＣ＿ＩＤLE )状態と無線リソース制御アクティブ( ＲＲＣ＿ＡＣＴＩＶＥ )状態とは区別される。なお、以下では、方式の理解を容易にするために、ＲＲＣ＿ＩＮＡＣＴＩＶＥの状態にある端末デバイスについて簡単に説明する。
【００５９】
具体的には、ＲＲＣ＿ＩＤＬＥ状態では、端末デバイスとネットワークデバイスとの間にＲＲＣ接続が存在せず、ネットワークデバイスが端末デバイスコンテキスト情報を記憶しない。当該端末デバイスをページングする必要がある場合、コアネットワークによってページングを開始し、コアネットワークによってページングエリアを構成する。そのモビリティは端末デバイスによるセル選択又はセル再選択である。ＲＲＣ＿ＡＣＴＩＶＥ状態では、端末デバイスとネットワークデバイスとの間にＲＲＣ接続が存在し、ネットワークデバイスと端末デバイスは、端末デバイスのコンテキスト情報を記憶している。ネットワークデバイスが取得する端末デバイスの位置は、特定のセルレベルである。そのモビリティは、ネットワークデバイスによって制御されるモビリティである。
【００６０】
しかしながら、ＲＲＣ＿ＩＮＡＣＴＩＶＥ状態については、コアネットワーク( ＣＮ )とネットワークデバイスとの間の接続があり、端末デバイスのコンテキスト情報があるネットワークデバイス上に存在し、無線アクセスネットワーク( Ｒａｄｉｏ Ａｃｃｅｓｓ Ｎｅｔｗｏｒｋ、ＲＡＮ )によってページングがトリガされ、ＲＡＮによってＲＡＮのページングエリアが管理され、すなわち、ネットワークデバイスによって取得される端末デバイスの位置は、ＲＡＮのページングエリアレベルである。そのモビリティは端末デバイスによるセル選択又はセル再選択である。すなわち、ＲＲＣ＿ＩＮＡＣＴＩＶＥ状態の端末デバイスは、ネットワークデバイスとの接続が切断された状態であり、ネットワークデバイスは、端末デバイスとネットワークデバイスとの接続を迅速に確立するための端末デバイスのコンテキスト情報を保持している。
【００６１】
例えば、端末デバイスがＲＲＣ＿ＩＮＡＣＴＩＶＥ状態にあると仮定すると、ネットワークデバイスは、複数のセルを含むＲＡＮのページングエリアを端末デバイスに構成する。すなわち、端末デバイスは、セル再選択を行う際に、ＲＡＮのページングエリアに基づいて、ＲＲＣ接続の再開をトリガすることができる。
【００６２】
具体的に、端末デバイスがセル再選択を行う場合、端末デバイスがＲＡＮのページングエリア内で移動する場合にはネットワークデバイスに通知しないことができ、より具体的には、端末デバイスは、ＲＲＣ＿ＩＤＬＥでのモビリティ挙動に従うことができ、すなわち、ＲＲＣ＿ＩＤＬＥでのセル選択や再選択規則に従うセル再選択が行われる。端末デバイスがＲＡＮのページングエリアから移動した場合、端末デバイスは、ＲＲＣ接続を再開し、ネットワークデバイスにより構成されたページングエリアを再取得するようにトリガすることができる。
【００６３】
すなわち、端末デバイスに対して下りデータが到着した場合に、端末デバイスに対するＲＡＮとＣＮとの接続を維持するネットワークデバイスは、ＲＡＮのページングエリア内の全てのセルが端末デバイスにページングメッセージを送信するようにトリガすることで、ＲＲＣ＿ＩＮＡＣＴＩＶＥの状態の端末デバイスがＲＲＣ接続を再開し、データ受信を行うことができる。上りデータが到着すると、端末デバイスはランダムアクセス手順をトリガし、ネットワークにアクセスしてデータの送信を行う。
【００６４】
しかしながら、第１のネットワークデバイスが第１のページングメッセージを送信することに失敗した場合、コアネットワークによって第２のページングメッセージを端末デバイスに送信することに戻る。
【００６５】
具体的に、図２に示すように、当該フローチャートは、２１０〜２４０を含む。
【００６６】
２１０において、コアネットワークが第１のネットワークデバイスに下りデータを送信する。
【００６７】
２２０において、第１のネットワークデバイスが第１のページングメッセージを送信して失敗する。
【００６８】
２３０において、当該第１のネットワークデバイスが当該端末デバイスのコンテキスト情報を解放することをコアネットワークに要求する。
【００６９】
２４０において、コアネットワークが当該端末デバイスに第２のページングメッセージを送信する。
【００７０】
このとき、端末デバイスは、新たに接続を開始し、サービスの受信を行う。このような伝送メカニズムは、元のネットワークデバイスに残っているデータの損失を引き起こし、データ伝送の成功率およびユーザ体験を低下させる。
【００７１】
本発明の実施例では、ネットワーク側が下りデータを転送するためのトンネルの確立を指示して該下りデータを転送することにより、データ損失を防止し、サービスの完全性を維持し、ユーザ体験を向上させることを可能にするデータ転送方法を提供する。
【００７２】
なお、本発明の実施例は、ＲＲＣ＿ＩＮＡＣＴＩＶＥ状態の端末デバイスを含む任意の通信システムに適用可能である。すなわち、本発明の実施例は、通信システム１００を例に挙げて説明したが、本発明の実施例は、これに限定されない。すなわち、本発明の実施例に係る技術的解決策は、例えば、移動通信システム( Ｇｌｏｂａｌ Ｓｙｓｔｅｍ ｏｆ Ｍｏｂｉｌｅ Ｃｏｍｍｕｎｉｃａｔｉｏｎ、ＧＳＭ )システム、符号分割多元接続( Ｃｏｄｅ Ｄｉｖｉｓｉｏｎ Ｍｕｌｔｉｐｌｅ Ａｃｃｅｓｓ、ＣＤＭＡ )システム、広帯域符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ、ＷＣＤＭＡ)システム、汎用パケット無線サービス( Ｇｅｎｅｒａｌ Ｐａｃｋｅｔ Ｒａｄｉｏ Ｓｅｒｖｉｃｅ、ＧＰＲＳ )、ロングタームエボリューション( Ｌｏｎｇ Ｔｅｒｍ Ｅｖｏｌｕｔｉｏｎ、ＬＴＥ )システム、LTE時分割複信( Ｔｉｍｅ Ｄｉｖｉｓｉｏｎ Ｄｕｐｌｅｘ、ＴＤＤ )、汎用移動通信システム( Ｕｎｉｖｅｒｓａｌ Ｍｏｂｉｌｅ Ｔｅｌｅｃｏｍｍｕｎｉｃａｔｉｏｎ Ｓｙｓｔｅｍ、ＵＭＴＳ )などの様々な通信システムに適用可能である。
【００７３】
本発明は、ネットワークデバイス及び端末デバイスを結合し、各実施例を説明する。
【００７４】
ここで、ネットワークデバイス１２０は、ネットワーク側で信号を送信または受信するために使用される任意のエンティティを指し得る。例えば、マシンタイプ通信( ＭＴＣ )のユーザ機器、ＧＳＭ又はＣＤＭＡにおける基地局( Ｂａｓｅ Ｔｒａｎｓｃｅｉｖｅｒ Ｓｔａｔｉｏｎ、ＢＴＳ )、ＷＣＤＭＡにおける基地局( ＮｏｄｅＢ )、ＬＴＥにおける発展型基地局( Ｅｖｏｌｕｔｉｏｎａｌ Ｎｏｄｅ Ｂ、ｅＮＢ又はｅＮｏｄｅＢ )、５Ｇネットワークにおける基地局機器等であってもよい。
【００７５】
また、端末デバイス１１０は、任意の端末デバイスであってよい。具体的には、端末デバイス１１０は、１つまたは複数のコアネットワーク( Ｃｏｒｅ Ｎｅｔｗｏｒｋ )と、ワイヤレス・アクセス・ネットワーク( Ｒａｄｉｏ Ａｃｃｅｓｓ Ｎｅｔｗｏｒｋ、ＲＡＮ )を介して通信し、アクセス端末、ユーザ機器( Ｕｓｅｒ Ｅｑｕｉｐｍｅｎｔ、ＵＥ )、ユーザ機器、ユーザ局、移動局、リモート端末、モバイルデバイス、ユーザ端末、ワイヤレス通信デバイス、ユーザエージェント、またはユーザ装置とも呼ばれ得る。例えば、携帯電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、および５Ｇネットワークにおける端末デバイスなどであり得る。
【００７６】
以下、本発明の実施例に係るセル再選択の方法の実現方式について具体的に説明する。
【００７７】
図３は本発明の実施例におけるデータ伝送方法３００のフローチャートである。
【００７８】
図３に示すように、当該方法は、３１０〜３３０を含む。
【００７９】
３１０において、コアネットワークデバイスが第１のネットワークデバイスに端末デバイスの下りデータを送信する。
【００８０】
３２０において、当該第１のネットワークデバイスが第２のネットワークデバイスに当該下りデータを転送する。
【００８１】
３３０において、当該第２のネットワークデバイスが当該端末デバイスに当該下りデータを送信する。
【００８２】
なお、本発明の実施例におけるデータ伝送方法は、非アクティブ状態での端末デバイスに応用されるデータ伝送方法であり、当該非アクティブ状態は、当該端末デバイス及び当該第１のネットワークデバイスの両方が当該端末デバイスのコンテキスト情報を保持しており、当該第１のネットワークデバイスとコアネットワークデバイスとの間で当該端末デバイスの通信接続を保持しておる。
【００８３】
具体的に、当該方法は、
当該第１のネットワークデバイスが第２のネットワークデバイスを介して当該端末デバイスに当該端末デバイスの下りデータを送信することを含み、当該第１のネットワークデバイスが当該第２のネットワークデバイスと異なる。すなわち、第２のネットワークデバイスが当該端末デバイスの下りデータを受信し、当該第２のネットワークデバイスが当該端末デバイスに当該下りデータを送信する。
【００８４】
なお、本発明の実施例において、「第１のネットワークデバイス」及び「第２のネットワークデバイス」という用語は、各ネットワークデバイスを区別する目的でのみ用いられる。本発明の実施例の範囲は限定されるものではない。例えば、第１のネットワークデバイスと第２のネットワークデバイスとが異なるとは、同一のネットワークデバイスでないこと等を指してもよい。
【００８５】
一実施例として、当該第１のネットワークデバイスがコアネットワークデバイスにより送信された当該下りデータを受信し、当該端末デバイスへの第１のページングメッセージの送信が失敗した場合、当該第２のネットワークデバイスを介して当該端末デバイスに当該下りデータを送信する。
【００８６】
選択可能で、当該第１のネットワークデバイスが第２のネットワークデバイスを介して当該端末デバイスに当該端末デバイスの下りデータを送信する前に、当該第１のネットワークデバイスが第１のトンネルを介して当該第２のネットワークデバイスに当該下りデータを転送し、ここで、当該第１のトンネルは、当該第２のネットワークデバイスにより確定された、当該第１のネットワークデバイスから当該第２のネットワークデバイスへのトンネルである。
【００８７】
すなわち、当該第２のネットワークデバイスが当該端末デバイスの下りデータを受信する前に、当該第２のネットワークデバイスが第１のトンネルを確立し、当該第２のネットワークデバイスが当該第１のトンネルを介して当該第１のネットワークデバイスにより送信された下りデータを受信する。
【００８８】
本発明の実施例において、当該第１のトンネルは、当該第２のネットワークデバイスがコアネットワークデバイスにより送信された当該第１のネットワークデバイスの識別子情報と第１の指示情報に基づいて確立したものであり、当該第１の指示情報は、当該第２のネットワークデバイスが当該第１のトンネルを確定するように指示する。
【００８９】
すなわち、当該第２のネットワークデバイスが第１のトンネルを確定する前に、当該第２のネットワークデバイスがコアネットワークデバイスにより送信された第１の指示情報を受信する。例えば、当該第２のネットワークデバイスがコアネットワークデバイスにより送信されたコンテキスト確立要求メッセージを受信し、当該コンテキスト確立要求メッセージは、当該第２のネットワークデバイスが当該端末デバイスの第２のコンテキスト情報を確定するように要求し、当該コンテキスト確立要求メッセージは、当該第１の指示情報を含む。
【００９０】
即ち、コアネットワークデバイスが当該第１のネットワークデバイスを介して第２のネットワークデバイスに当該端末デバイスの下りデータを転送する前に、コアネットワークデバイスが当該第２のネットワークデバイスに第１の指示情報を送信する。
【００９１】
さらに、当該第１のネットワークデバイスが第１のトンネルを介して当該第２のネットワークデバイスに当該下りデータを伝送する前に、当該第１のネットワークデバイスがコアネットワークデバイスに第２の指示情報を送信し、当該第２の指示情報は、コアネットワークデバイスが当該第１のコンテキスト情報、及び当該第１のネットワークデバイスとコアネットワークデバイスとの間の当該端末デバイスの通信接続を保持するために用いられる。すなわち、コアネットワークデバイスが当該第１のネットワークデバイスを介して第２のネットワークデバイスに当該端末デバイスの下りデータを転送する前に、当該第１のネットワークデバイスにより送信された第２の指示情報を受信することができる。
【００９２】
例えば、当該第１のネットワークデバイスがコアネットワークデバイスにページング要求メッセージを送信し、当該ページング要求メッセージは、コアネットワークデバイスが当該端末デバイスに第２のページングメッセージを送信するように要求し、当該ページング要求メッセージは、当該第２の指示情報を含む。
【００９３】
図４は本発明の実施例におけるデータ伝送方法の他のフローチャートである。
【００９４】
具体的に、図４に示すように、当該方法４０１〜４１７を含む。
【００９５】
４０１において、端末デバイスがアクティブ状態にある。
【００９６】
４０２、コアネットワークデバイスが第１のネットワークデバイスに当該端末デバイスの下りデータを送信する。
【００９７】
４０３において、第１のネットワークデバイスが端末デバイスに第１のページングメッセージを送信して失敗する。
【００９８】
４０４において、第１のネットワークデバイスがコアネットワークデバイスにページング要求メッセージを送信し、第２の指示情報を含み、当該第２の指示情報は、コアネットワークデバイスが当該第１のコンテキスト情報、及び当該第１のネットワークデバイスとコアネットワークデバイスとの間の当該端末デバイスの通信接続を保持するために用いられる。
【００９９】
４０５において、コアネットワークデバイスが端末デバイスに第２のページングメッセージを送信する。
【０１００】
４０６、端末デバイスが当該アクセス層（ＡＳ）コンテキストを解放し無線リソース制御（Ｒａｄｉｏ Ｒｅｓｏｕｒｃｅ Ｃｏｎｔｒｏｌ、ＲＲＣ）接続確定過程を開始する。
【０１０１】
４０７において、端末デバイスが第２のネットワークデバイスとＲＲＣ接続を確立する。
【０１０２】
４０８において、端末デバイスが第２のネットワークデバイスにＲＲＣ接続確立完了メッセージを送信する。
【０１０３】
４０９において、第２のネットワークデバイスがコアネットワークデバイスに初期ユーザーデバイス(Ｕｓｅｒ Ｅｑｕｉｐｍｅｎｔ、ＵＥ)メッセージを送信する。
【０１０４】
４１０において、コアネットワークデバイスは、当該初期ＵＥメッセージの端末デバイスがページング失敗した端末デバイスであると確定する。
【０１０５】
４１１において、コアネットワークデバイスが第２のネットワークデバイスにコンテキスト確立要求メッセージ（ＩＮＩＴＩＡＬ ＣＯＮＴＥＸＴ ＳＥＴＵＰ ＲＥＱＵＥＳＴ）を送信し、当該第１のネットワークデバイスの識別子情報と第１の指示情報を含み、当該第１の指示情報は、当該第２のネットワークデバイスが当該第１のトンネルを確定するように指示する。
【０１０６】
４１２において、第２のネットワークデバイスが端末デバイスの初期コンテキストを確定する。
【０１０７】
４１３において、第２のネットワークデバイスが第１のトンネルを確立し、第１のネットワークデバイスに当該第１のトンネルの識別子を通知する。
【０１０８】
４１４において、第１のネットワークデバイスが当該第１のトンネルにおいて第２のネットワークデバイスに当該下りデータを転送する。
【０１０９】
４１５において、第１のネットワークデバイスが当該アクセス層（ＡＳ）コンテキストと当該端末デバイスへの接続を解放する。
【０１１０】
４１６において、第２のネットワークデバイスと端末デバイスとの間でデータ伝送を行う。
【０１１１】
４１７において、コアネットワークデバイスと端末デバイスとの間でデータ伝送を行う。
【０１１２】
すなわち、非アクティブ状態にある端末デバイスに対して下がりデータが第１のネットワークデバイスに到達すると、第１のネットワークデバイスは、ＲＡＮ初期ページングメッセージを開始するようにトリガされる。ＲＡＮ初期ページングメッセージがＵＥをページングするのに失敗した場合、第１のネットワークデバイスは、コアネットワークデバイスに、ＵＥのためのコアネットワークデバイスの初期ページングメッセージ要求を開始し、コアネットワークデバイスに、ＵＥのＮＧ／Ｓ１接続およびＡＳコンテキストを一時的に保存する要求を指示する。コアネットワークデバイスは、ページングメッセージをＵＥに開始する。端末デバイスは、コアネットワークデバイスの初期ページングメッセージを受信すると、ＵＥに以前に記憶されたＵＥ ＡＳコンテキストを解放し、ＲＲＣ接続確立手順を開始する。コアネットワークデバイスは、初期ＵＥメッセージを受信し、現在のＵＥがＲＡＮのためのコアネットワークデバイスの初期ページングメッセージの開始を要求するＵＥを識別すると、第１のネットワークデバイスが第２のネットワークデバイスにデータ転送手順を開始するために、初期コンテキストメッセージに第２のネットワークデバイスのＩＤ情報に関連する第１のネットワークデバイスのＩＤ情報を示し、第１のネットワークデバイスに対応する基地局にトンネリングプロトコル( ＧＰＲＳ Ｔｕｎｎｅｌｉｎｇ Ｐｒｏｔｏｃｏｌ、ＧＴＰ )のトンネリング確立を開始する。第２のネットワークデバイスは、ＧＴＰトンネリング確立手順を、所定の第１のネットワークデバイスＩＤに対応する基地局に開始し、データ転送を行う。データ転送が完了すると、第１のネットワークデバイスＩＤは、コアネットワークデバイスに対するＵＥ接続解放及びコンテキスト解放手順を開始する。第２のネットワークデバイスは、第１のネットワークデバイスＩＤから転送されたデータを送信した後、コアネットワークデバイスから転送されたデータを送信する。
【０１１３】
選択可能で、コアネットワークデバイスが第３のトンネルを介して当該第２のネットワークデバイスに当該下りデータを転送するように、当該第１のネットワークデバイスが第２のトンネルを介してコアネットワークデバイスに当該下りデータを転送し、ここで、当該第２のトンネルは、コアネットワークデバイスにより確定された、当該第１のネットワークデバイスからコアネットワークデバイスへのトンネルであり、当該第３のトンネルは、当該第２のネットワークデバイスにより確定された、コアネットワークデバイスと当該第２のネットワークデバイスとのトンネルである。
【０１１４】
すなわち、コアネットワークデバイスが当該第１のネットワークデバイスを介して第２のネットワークデバイスに当該端末デバイスの下りデータを転送する前に、コアネットワークデバイスが第２のトンネルを確立し、コアネットワークデバイスが当該第２のトンネルを介して当該第１のネットワークデバイスにより送信された当該下りデータを受信し、これによって、コアネットワークデバイスが当該第３のトンネルを介して当該第２のネットワークデバイスに当該下りデータを送信する。
【０１１５】
同様、当該第２のネットワークデバイスが当該端末デバイスの下りデータを受信する前に、当該第２のネットワークデバイスが第３のトンネルを確立し、当該第２のネットワークデバイスが当該第３のトンネルを介してコアネットワークデバイスにより送信された当該下りデータを受信する。
【０１１６】
このように、第２のネットワークデバイスを利用して端末デバイスに当該下りデータを送信する。
【０１１７】
本発明の実施例における第２のトンネルは、コアネットワークデバイスが当該第１のネットワークデバイスにより送信された第３の指示情報に基づいて確立したものであり、当該第３の指示情報は、コアネットワークデバイスが当該第２のトンネルを確立するように指示する。すなわち、コアネットワークデバイスが第２のトンネルを確立する前に、当該第１のネットワークデバイスにより送信された当該第３の指示情報を受信し、当該第３の指示情報に基づいて当該第２のトンネルを確立する。
【０１１８】
さらに、当該第３の指示情報は、さらに、コアネットワークデバイスが当該第１のコンテキスト情報、及び当該第１のネットワークデバイスとコアネットワークデバイスとの当該端末デバイスの通信接続を保持するように指示する。
【０１１９】
実際において、当該第１のネットワークデバイスが第２のトンネルを介してコアネットワークデバイスに当該下りデータを転送する前に、当該第１のネットワークデバイスがコアネットワークデバイスに当該第３の指示情報を送信する。
【０１２０】
例えば、当該第１のネットワークデバイスがコアネットワークデバイスにページング要求メッセージを送信し、当該ページング要求メッセージは、コアネットワークデバイスが当該端末デバイスに第２のページングメッセージを送信するように要求し、当該ページング要求メッセージは当該第３の指示情報を含む。
【０１２１】
本発明の実施例における第３のトンネルは、当該第２のネットワークデバイスがコアネットワークデバイスにより送信された第４の指示情報に基づいて確立したものであり、当該第４の指示情報は、当該第２のネットワークデバイスが当該第３のトンネルを確立するように指示する。
【０１２２】
すなわち、コアネットワークデバイスが第３のトンネルを確立する前に、当該第２のネットワークデバイスに第４の指示情報を送信する。このように、当該第２のネットワークデバイスが第３のトンネルを確立する前に、コアネットワークデバイスにより送信された第４の指示情報を受信し、当該第４の指示情報に基づいて当該第３のトンネルを確立することができる。
【０１２３】
例えば、当該第２のネットワークデバイスがコアネットワークデバイスにより送信されたコンテキスト確立要求メッセージを受信し、当該コンテキスト確立要求メッセージは、当該第２のネットワークデバイスが当該端末デバイスの第２のコンテキスト情報を確立するように要求し、当該コンテキスト確立要求メッセージは、当該第４の指示情報を含む。
【０１２４】
図５は本発明の実施例におけるデータ伝送方法の他のフローチャートである。
【０１２５】
具体的に、図５に示すように、当該方法は、５０１〜５１９を含む。
【０１２６】
５０１において、端末デバイスがアクティブ状態にある。
【０１２７】
５０２において、コアネットワークデバイスが第１のネットワークデバイスに当該端末デバイスの下りデータを送信する。
【０１２８】
５０３において、第１のネットワークデバイスが端末デバイスに第１のページングメッセージを送信して失敗する。
【０１２９】
５０４において、第１のネットワークデバイスがコアネットワークデバイスにページング要求メッセージを送信し、第３の指示情報を含み、当該第３の指示情報は、コアネットワークデバイスが当該第２のトンネルを確立するように指示する。さらに、当該第３の指示情報は、さらに、コアネットワークデバイスが当該第１のコンテキスト情報、及び当該第１のネットワークデバイスとコアネットワークデバイスとの当該端末デバイスの通信接続を保持するように指示する。
【０１３０】
５０５において、コアネットワークデバイスが第２のトンネルを確立する。
【０１３１】
５０６において、第１のネットワークデバイスが当該第２のトンネルにおいてコアネットワークデバイスに当該下りデータを送信する。
【０１３２】
５０７において、コアネットワークデバイスが端末デバイスに第２のページングメッセージを送信する。
【０１３３】
５０８において、コアネットワークデバイスは、第１のネットワークデバイスが当該端末デバイスのアクセス層（ＡＳ）コンテキストと当該端末デバイスの接続を解放するように通知する。
【０１３４】
５０９において、端末デバイスは当該コンテキスト情報を解放しＲＲＣ接続確立過程を開始する。
【０１３５】
５１０において、端末デバイスが第２のネットワークデバイスとＲＲＣ接続を確立する。
【０１３６】
５１１において、端末デバイスが第２のネットワークデバイスにＲＲＣ接続確立完了メッセージを送信する。
【０１３７】
５１２において、第２のネットワークデバイスがコアネットワークデバイスに初期ＵＥメッセージを送信する。
【０１３８】
５１３において、コアネットワークデバイスは、当該初期ＵＥメッセージの端末デバイスがページング失敗した端末デバイスであると確定する。
【０１３９】
５１４において、コアネットワークデバイスが第２のネットワークデバイスにコンテキスト確立要求メッセージを送信し、第４の指示情報を含み、当該第４の指示情報は、当該第２のネットワークデバイスが当該第３のトンネルを確定するように指示する。
【０１４０】
５１５において、第２のネットワークデバイスが第３のトンネルを確立する。
【０１４１】
５１６において、コアネットワークデバイスが当該第３のトンネルにおいて第２のネットワークデバイスに当該下りデータを送信する。
【０１４２】
５１７において、第２のネットワークデバイスが端末デバイスの初期コンテキストを確立する。
【０１４３】
５１８において、第２のネットワークデバイスが端末デバイスとデータ伝送を行う。
【０１４４】
５１９、コアネットワークデバイスが端末デバイスとデータ伝送を行う。
【０１４５】
すなわち、非アクティブ状態にある端末デバイスに対して下がりデータが第１のネットワークデバイスに到達すると、第１のネットワークデバイスは、ＲＡＮ初期ページングメッセージを開始するようにトリガされる。ＲＡＮ初期ページングメッセージがＵＥをページングするのに失敗した場合、第１のネットワークデバイスは、コアネットワークデバイスに、ＵＥのためのコアネットワークデバイスの初期ページングメッセージ要求を開始し、また、コアネットワークデバイスに、ＵＥのＮＧ／Ｓ１接続およびＡＳコンテキストを一時的に保存する要求を指示し、コアネットワークデバイスがコアネットワークデバイスへのＧＴＰトンネルを確立する要求して、第１のネットワークデバイスでの当該ＵＥの下りデータをコアネットワークデバイス側に転送する。コアネットワークデバイスは、第１のネットワークデバイスでの当該ＵＥの下りデータをコアネットワークデバイス側に転送するためのコアネットワークデバイスへのＧＴＰトンネルを確立する。また、コアネットワークデバイスは、ページングメッセージをＵＥに開始する。第１のネットワークデバイスは、データ転送を行い、データ転送が終了すると、コアネットワークデバイスは、第１のネットワークデバイスにＵＥの接続とコンテキスト情報を解放するよう通知する。ＩＮＡＣＴＩＶＥ ＵＥがコアネットワークデバイスの最初のページングメッセージを受信すると、ＵＥが以前に記憶したＵＥ ＡＳコンテキストを解放し、ＲＲＣ接続確立手順を開始する。コアネットワークデバイスは、初期ＵＥメッセージを受信し、現在のＵＥがＲＡＮのためのコアネットワークデバイスの初期ページングメッセージの開始を要求するＵＥを識別すると、初期コンテキストメッセージにおいて、第２のネットワークデバイスにＵＥの下がりデータを転送するためのＧＴＰトンネリング設定を第２のネットワークデバイスに開始する。コアネットワークデバイスは、第１のネットワークデバイスから転送されたデータを転送した後に新たなデータを再送する。
【０１４６】
他の実施例として、当該第１のネットワークデバイスがコアネットワークデバイスにより送信された当該下りデータを受信し、当該第２のネットワークデバイスにより送信された第５の指示情報を受信した場合、当該第２のネットワークデバイスを介して当該端末デバイスに当該下りデータを送信し、当該第５の指示情報は、当該第２のネットワークデバイスが第１のトンネルを確立するように指示し、当該第１のネットワークデバイスが当該第２のネットワークデバイスに当該下りデータを転送するためのトンネルである。
【０１４７】
すなわち、当該第２のネットワークデバイスが当該端末デバイスの下りデータを受信する前に、当該第２のネットワークデバイスが当該第１のネットワークデバイスに第５の指示情報を送信する。
【０１４８】
例えば、当該第２のネットワークデバイスが当該第１のネットワークデバイスにコンテキスト要求メッセージを送信し、当該コンテキスト要求メッセージは、当該第１のコンテキスト情報を要求し、当該コンテキスト要求メッセージは、当該第５の指示情報を含む。
【０１４９】
選択可能で、当該第１のネットワークデバイスがコアネットワークデバイスにより送信された通知情報を受信し、当該通知情報は、当該第１のネットワークデバイスが当該第１のコンテキスト情報、及び当該第１のネットワークデバイスとコアネットワークデバイスとの当該端末デバイスの通信接続を解放するように通知する。
【０１５０】
図６は本発明の実施例におけるデータ伝送方法の他のフローチャートである。
【０１５１】
具体的に、図６に示すように、当該方法は、６０１〜６１６を含む。
【０１５２】
６０１において、端末デバイスがアクティブ状態にある。
【０１５３】
６０２において、コアネットワークデバイスが第１のネットワークデバイスに当該端末デバイスの下りデータを送信する。
【０１５４】
６０３において、第１のネットワークデバイスが端末デバイスに第１のページングメッセージを送信する。
【０１５５】
６０４において、第２のネットワークデバイスが端末デバイスに第３のページングメッセージを送信する。
【０１５６】
６０５において、端末デバイスが当該コンテキスト情報を解放しＲＲＣ接続確立過程を開始する。
【０１５７】
６０６において、端末デバイスが第２のネットワークデバイスにランダムアクセスする。
【０１５８】
６０７において、端末デバイスが第２のネットワークデバイスにＲＲＣ接続確立要求を送信する。
【０１５９】
６０８において、第２のネットワークデバイスが第１のネットワークデバイスに第５の指示情報を含む要求メッセージを送信し、当該第５の指示情報は、当該第１のネットワークデバイスが当該第２のネットワークデバイスに当該下りデータを転送するための第１のトンネルを確立することを当該第２のネットワークデバイスに要求する。
【０１６０】
６０９において、第２のネットワークデバイスが第１のトンネルを確立する。
【０１６１】
６１０において、第１のネットワークデバイスが当該第１のトンネルにおいて第２のネットワークデバイスに当該下りデータを転送する。
【０１６２】
６１１において、第２のネットワークデバイスが端末デバイスにより送信されたＲＲＣ接続確立要求に応答する。
【０１６３】
６１２において、端末デバイスが第２のネットワークデバイスにＲＲＣ接続確立完了メッセージを送信する。
【０１６４】
６１３において、コアネットワーク側のトンネル経路を変更する。
【０１６５】
６１４において、コアネットワークデバイスは、第１のネットワークデバイスがアクセス層（ＡＳ）コンテキスト及び当該端末デバイスの接続を解放するように通知する。
【０１６６】
６１５において、第２のネットワークデバイスが端末デバイスとデータ伝送を行う。
【０１６７】
６１６において、コアネットワークデバイスが端末デバイスとデータ伝送を行う。
【０１６８】
すなわち、ＩＮＡＣＴＩＶＥ ＵＥに対して、下りデータが第１のネットワークデバイスに到着すると、第１のネットワークデバイスは、ＲＡＮ初期ページングメッセージを開始するようにトリガされる。ＵＥは、ＲＡＮ初期ページングを受信すると、ＲＲＣ接続回復手順を開始する。第２のネットワークデバイスは、ＵＥのＲＲＣ回復要求を受信すると、コンテキスト情報を第１のネットワークデバイスに要求し、コンテキスト要求メッセージを要求する際、第１のネットワークデバイスがＵＥのダウンリンクデータを第２のネットワークデバイスに転送するためのＧＴＰトンネルを確立する。第２のネットワークデバイスは、コアネットワークデバイス側のＧＴＰの経路を変更する。第２のネットワークデバイスは、第１のネットワークデバイスから転送されたデータを送信した後、新たなデータを再送する。
【０１６９】
以下、図７と図８を参照し、本発明の実施例におけるネットワークデバイスを説明する。
【０１７０】
図７は本発明の実施例におけるネットワークデバイス７００のブロック図である。
【０１７１】
具体的に、図７に示すように、当該ネットワークデバイス７００は送受信ユニット７１０を含み、当該送受信ユニット７１０は、他のネットワークデバイス及び端末デバイスにより送信された情報を受信してもよく、他のネットワークデバイス及び端末デバイスに情報を送信してもよい。
【０１７２】
本発明の実施例において、限定ではなく例示として、図７に示すネットワークデバイスは、上記の方法の実施例における第１のネットワークデバイス、すなわち、端末デバイスが非アクティブ状態にある場合に端末デバイスのコンテキスト情報を保持するネットワークデバイスであってもよい。
【０１７３】
具体的に、当該送受信ユニット７１０は、第２のネットワークデバイスを介して端末デバイスに当該端末デバイスの下りデータを送信し、当該端末デバイスが非アクティブ状態にあり、当該非アクティブ状態は、当該端末デバイスとネットワークデバイスの両方が当該端末デバイスのコンテキスト情報を保持しており、当該ネットワークデバイスとコアネットワークデバイスとの間で当該端末デバイスの通信接続を保持しており、当該ネットワークデバイスが当該第２のネットワークデバイスと異なる。
【０１７４】
選択可能で、当該送受信ユニット７１０は、具体的に、
上記のコアネットワークデバイスにより送信された当該下りデータを受信し、当該端末デバイスへの第１のページングメッセージの送信が失敗した場合、当該第２のネットワークデバイスを介して当該端末デバイスに当該下りデータを送信するように構成される。
【０１７５】
選択可能で、当該送受信ユニット７１０は、さらに、
第２のネットワークデバイスを介して当該端末デバイスに当該端末デバイスの下りデータを送信する前に、第１のトンネルを介して当該第２のネットワークデバイスに当該下りデータを転送するように構成され、ここで、当該第１のトンネルは、当該第２のネットワークデバイスに確立された当該ネットワークデバイスから当該第２のネットワークデバイスへのトンネルである。
【０１７６】
選択可能で、当該第１のトンネルは、当該第２のネットワークデバイスが上記のコアネットワークデバイスにより送信された当該ネットワークデバイスの識別子情報と第１の指示情報に基づいて確立したものであり、当該第１の指示情報は、当該第２のネットワークデバイスが当該第１のトンネルを確立するように指示する。
【０１７７】
選択可能で、当該送受信ユニット７１０は、さらに、
第１のトンネルを介して当該第２のネットワークデバイスに当該下りデータを転送する前に、上記のコアネットワークデバイスに第２の指示情報を送信するように構成され、当該第２の指示情報は、上記のコアネットワークデバイスが当該第１のコンテキスト情報、及び当該ネットワークデバイスと上記のコアネットワークデバイスとの当該端末デバイスの通信接続を保持するように指示する。
【０１７８】
選択可能で、当該送受信ユニット７１０は、具体的に、
上記のコアネットワークデバイスにページング要求メッセージを送信するように構成され、当該ページング要求メッセージは、上記のコアネットワークデバイスが当該端末デバイスに第２のページングメッセージを送信するように要求し、当該ページング要求メッセージは当該第２の指示情報を含む。
【０１７９】
選択可能で、当該送受信ユニット７１０は、具体的に、
第２のトンネルを介して上記のコアネットワークデバイスに当該下りデータを転送して、上記のコアネットワークデバイスが第３のトンネルを介して当該第２のネットワークデバイスに当該下りデータを転送し、ここで、当該第２のトンネルは、上記のコアネットワークデバイスに確立された、当該ネットワークデバイスから上記のコアネットワークデバイスへのトンネルであり、当該第３のトンネルは、当該第２のネットワークデバイスに確立された、上記のコアネットワークデバイスから当該第２のネットワークデバイスへのトンネルである。
【０１８０】
選択可能で、当該第２のトンネルは、上記のコアネットワークデバイスが当該ネットワークデバイスにより送信された第３の指示情報に基づいて確立したものであり、当該第３の指示情報は、上記のコアネットワークデバイスが当該第２のトンネルを確立するように指示する。
【０１８１】
選択可能で、当該第３の指示情報は、さらに、上記のコアネットワークデバイスが当該第１のコンテキスト情報、及び当該ネットワークデバイスと上記のコアネットワークデバイスとの当該端末デバイスの通信接続を保持するように指示する。
【０１８２】
選択可能で、当該送受信ユニット７１０は、さらに、
第２のトンネルを介して上記のコアネットワークデバイスに当該下りデータを転送する前に、上記のコアネットワークデバイスに当該第３の指示情報を送信するように構成される
選択可能で、当該送受信ユニット７１０は、具体的に、
上記のコアネットワークデバイスにページング要求メッセージを送信するように構成され、当該ページング要求メッセージは、上記のコアネットワークデバイスが当該端末デバイスに第２のページングメッセージを送信するように要求し、当該ページング要求メッセージは当該第３の指示情報を含む。
【０１８３】
選択可能で、当該第３のトンネルは、当該第２のネットワークデバイスが上記のコアネットワークデバイスにより送信された第４の指示情報に基づいて確立したものであり、当該第４の指示情報は、当該第２のネットワークデバイスが当該第３のトンネルを確立するように指示する。
【０１８４】
選択可能で、当該送受信ユニット７１０は、具体的に、
上記のコアネットワークデバイスにより送信された当該下りデータを受信し、当該第２のネットワークデバイスにより送信された第５の指示情報を受信した場合、当該第２のネットワークデバイスを介して当該端末デバイスに当該下りデータを送信し、当該第５の指示情報は、当該ネットワークデバイスが当該第２のネットワークデバイスに当該下りデータを転送するための第１のトンネルを確立することを当該第２のネットワークデバイスに指示する。
【０１８５】
選択可能で、当該送受信ユニット７１０は、さらに、
第２のネットワークデバイスを介して当該端末デバイスに当該端末デバイスの下りデータを送信する前に、当該第２のネットワークデバイスにより送信されたコンテキスト要求メッセージを受信するように構成され、当該コンテキスト要求メッセージは、当該第１のコンテキスト情報を要求し、当該コンテキスト要求メッセージは当該第５の指示情報を含む。
【０１８６】
選択可能で、当該送受信ユニット７１０は、さらに、
上記のコアネットワークデバイスにより送信された通知情報を受信するように構成され、当該通知情報は、当該ネットワークデバイスが当該第１のコンテキスト情報、及び当該ネットワークデバイスと上記のコアネットワークデバイスとの当該端末デバイスの通信接続を解放するように通知する。
【０１８７】
本発明の実施例において、限定ではなく例示として、図７に示すネットワークデバイスは、上記の方法の実施例における第２のネットワークデバイス、すなわち、端末デバイスが非アクティブ状態にある場合に、端末デバイスに下りデータを送信するネットワークデバイスであってもよい。
【０１８８】
具体的に、送受信ユニット７１０は、端末デバイスの下りデータを受信し、当該端末デバイスに当該下りデータを送信し、ここで、当該端末デバイスが非アクティブ状態にあり、当該非アクティブ状態は、当該端末デバイスと当該第１のネットワークデバイスの両方が当該端末デバイスのコンテキスト情報を保持しており、当該第１のネットワークデバイスとコアネットワークデバイスとの間で当該端末デバイスの通信接続を保持しており、第１のネットワークデバイスが当該ネットワークデバイスと異なる。
【０１８９】
選択可能で、当該送受信ユニット７１０は、具体的に、
当該端末デバイスの下りデータを受信する前に、第１のトンネルを確立し、当該第１のトンネルは、当該第１のネットワークデバイスから当該ネットワークデバイスへのトンネルであり、当該第１のトンネルを介して当該第１のネットワークデバイスにより送信された下りデータを受信するように構成される。
【０１９０】
選択可能で、当該送受信ユニット７１０は、具体的に、
上記のコアネットワークデバイスにより送信された第１の指示情報を受信し、当該第１の指示情報は、当該ネットワークデバイスが当該第１のトンネルを確立するように指示する。
【０１９１】
選択可能で、当該送受信ユニット７１０は、具体的に、
上記のコアネットワークデバイスにより送信されたコンテキスト確立要求メッセージを受信するように構成され、当該コンテキスト確立要求メッセージは、当該ネットワークデバイスが当該端末デバイスの第２のコンテキスト情報を確立するように要求し、当該コンテキスト確立要求メッセージは当該第１の指示情報を含む。
【０１９２】
選択可能で、当該送受信ユニット７１０は、具体的に、
当該端末デバイスの下りデータを受信する前に、第３のトンネルを確立し、当該第３のトンネルは、上記のコアネットワークデバイスから当該ネットワークデバイスへのトンネルであり、当該第３のトンネルを介して上記のコアネットワークデバイスにより送信された当該下りデータを受信するように構成される。
【０１９３】
選択可能で、当該送受信ユニット７１０は、さらに、
当該第３のトンネルを確立する前に、上記のコアネットワークデバイスにより送信された第４の指示情報を受信するように構成され、当該第４の指示情報は、当該ネットワークデバイスが当該第３のトンネルを確立するように指示する。
【０１９４】
当該送受信ユニット７１０は、具体的に、
上記のコアネットワークデバイスにより送信されたコンテキスト確立要求メッセージを受信するように構成され、当該コンテキスト確立要求メッセージは、当該ネットワークデバイスが当該端末デバイスの第２のコンテキスト情報を確立するように要求し、当該コンテキスト確立要求メッセージは当該第４の指示情報を含む。
【０１９５】
選択可能で、当該送受信ユニット７１０は、さらに、
当該端末デバイスの下りデータを受信する前に、当該第１のネットワークデバイスに第５の指示情報を送信するように構成され、当該第５の指示情報は、当該第１のネットワークデバイスが当該ネットワークデバイスに当該下りデータを転送するための第１のトンネルを確立することを当該ネットワークデバイスに指示する。
【０１９６】
選択可能で、当該送受信ユニット７１０は、具体的に、
当該第１のネットワークデバイスにコンテキスト要求メッセージを送信するように構成され、当該コンテキスト要求メッセージは、当該第１のコンテキスト情報を要求し、当該コンテキスト要求メッセージは当該第５の指示情報を含む。
【０１９７】
選択可能で、当該送受信ユニット７１０は、さらに、
当該端末デバイスと、当該ネットワークデバイスと当該端末デバイスとの無線リソース制御ＲＲＣ接続を確立するように構成される。
【０１９８】
本発明の実施例において、限定ではなく限定的な例として、図７に示されるネットワークデバイスは、上記の方法の実施例におけるコアネットワークデバイスであってもよい。
【０１９９】
具体的に、送受信ユニット７１０は、第１のネットワークデバイスを介して第２のネットワークデバイスに端末デバイスの下りデータを転送することで、当該第２のネットワークデバイスが当該端末デバイスに当該下りデータを送信し、当該端末デバイスが非アクティブ状態にあり、当該非アクティブ状態は、当該端末デバイスと当該第１のネットワークデバイスとの両方が当該端末デバイスのコンテキスト情報を保持しており、当該第１のネットワークデバイスと当該ネットワークデバイスとの間で当該端末デバイスの通信接続を保持しており、当該第１のネットワークデバイスが当該第２のネットワークデバイスと異なる。
【０２００】
選択可能で、当該送受信ユニット７１０は、さらに、
当該第１のネットワークデバイスを介して第２のネットワークデバイスに当該端末デバイスの下りデータを転送する前に、当該第２のネットワークデバイスに第１の指示情報を送信するように構成され、当該第１の指示情報は、当該第２のネットワークデバイスが第１のトンネルを確立するによう指示し、当該第１のトンネルは、当該第１のネットワークデバイスが当該第２のネットワークデバイスに当該下りデータを転送するために用いられる。
【０２０１】
選択可能で、当該送受信ユニット７１０は、さらに、
当該第１のネットワークデバイスを介して第２のネットワークデバイスに当該端末デバイスの下りデータを転送する前に、当該第１のネットワークデバイスにより送信された第２の指示情報を受信するように構成され、当該第２の指示情報は、当該ネットワークデバイスが当該第１のコンテキスト情報、及び当該第１のネットワークデバイスと当該ネットワークデバイスとの当該端末デバイスの通信接続を保持するように指示する。
【０２０２】
選択可能で、当該送受信ユニット７１０は、具体的に、
当該ネットワークデバイスが当該第１のネットワークデバイスにより送信されたページング要求メッセージを受信するように構成され、当該ページング要求メッセージは、当該ネットワークデバイスが当該端末デバイスに第２のページングメッセージを送信するように要求し、当該ページング要求メッセージは当該第２の指示情報を含む。
【０２０３】
選択可能で、当該送受信ユニット７１０は、さらに、
当該第１のネットワークデバイスを介して第２のネットワークデバイスに当該端末デバイスの下りデータを転送する前に、第２のトンネルを確立するように構成され、当該第２のトンネルは、当該第１のネットワークデバイスから当該ネットワークデバイスへのトンネルであり、
当該第２のトンネルを介して当該第１のネットワークデバイスにより送信された当該下りデータを受信することで、当該ネットワークデバイスが当該第３のトンネルを介して当該第２のネットワークデバイスに当該下りデータを送信するように構成され、当該第３のトンネルは、当該第２のネットワークデバイスに確立された、当該ネットワークデバイスから当該第２のネットワークデバイスへのトンネルである。
【０２０４】
選択可能で、当該送受信ユニット７１０は、さらに、
当該第２のトンネルを確立する前に、当該第１のネットワークデバイスにより送信された第３の指示情報を受信するように構成され、当該第３の指示情報は、当該ネットワークデバイスが当該第２のトンネルを確立するように指示する。
【０２０５】
選択可能で、当該第３の指示情報は、さらに、当該ネットワークデバイスが当該第１のコンテキスト情報、及び当該第１のネットワークデバイスと当該ネットワークデバイスとの当該端末デバイスの通信接続を保持するように指示する。
【０２０６】
選択可能で、当該送受信ユニット７１０は、具体的に、
当該第１のネットワークデバイスにより送信されたページング要求メッセージを受信するように構成され、当該ページング要求メッセージは、当該ネットワークデバイスが当該端末デバイスに第２のページングメッセージを送信するように要求し、当該ページング要求メッセージは当該第３の指示情報を含む。
【０２０７】
選択可能で、当該送受信ユニット７１０は、さらに、
当該第３のトンネルを確立する前に、当該第２のネットワークデバイスに第４の指示情報を送信するように構成され、当該第４の指示情報は、当該第２のネットワークデバイスが当該第３のトンネルを確立するように指示する。
【０２０８】
選択可能で、当該送受信ユニット７１０は、具体的に、当該ネットワークデバイスが当該第２のネットワークデバイスにコンテキスト確立要求メッセージを送信するように構成され、当該コンテキスト確立要求メッセージは、当該第２のネットワークデバイスが当該端末デバイスの第２のコンテキスト情報を確立するように要求し、当該コンテキスト確立要求メッセージは当該第４の指示情報を含む。
【０２０９】
選択可能で、当該送受信ユニット７１０は、さらに、
当該第１のネットワークデバイスに通知情報を送信するように構成され、当該通知情報は、当該第１のネットワークデバイスが当該第１のコンテキスト情報、及び当該第１のネットワークデバイスと当該ネットワークデバイスとの当該端末デバイスの通信接続を解放するように通知する。
【０２１０】
なお、送受信ユニット７１０は、送受信器により実現されてもよい。図８に示すように、ネットワークデバイス８００は、プロセッサ８１０、送受信機８２０、及びメモリ８３０を含んでもよい。ここで、メモリ８３０は、指示情報を格納するために使用されてもよく、プロセッサ８１０が実行するコード、命令などを格納するために使用されてもよい。ネットワークデバイス８００の各構成要素は、データバスの他に、電源バス、制御バス、ステータス信号バス等のバスシステムにより接続されている。
【０２１１】
図８に示すネットワークデバイス８００は、前述の図２〜図６の方法の実施例においてネットワークデバイスにより実施される様々なプロセスを実施することができ、重複を避けるためにここでは詳しい説明を省略する。すなわち、本発明の実施例による方法の実施例は、プロセッサに適用されてもよく、またはプロセッサによって実装されてもよい。
【０２１２】
実施において、本発明の実施例における方法の実施例のステップは、プロセッサにおけるハードウェアの集積論理回路またはソフトウェア形態の命令によって実行されてもよい。より具体的には、本発明の実施例に関連して開示された方法のステップは、ハードウェアデコーディングプロセッサによって実行されることによって直接実施され得るか、または、デコーディングプロセッサ内のハードウェアおよびソフトウェアモジュールの組み合わせによって実行されることによって実施され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当該技術分野における成熟した記憶媒体内に配置され得る。この記憶媒体は、メモリに位置し、プロセッサは、メモリ内の情報を読み取り、ハードウェアとともに上述した方法のステップを実行する。
【０２１３】
ここで、プロセッサは、信号の処理能力を有し、本発明の実施例に開示された方法、ステップ、および論理ブロック図を実施または実行することができる集積回路チップであり得る。例えば、上記のプロセッサは、汎用プロセッサ、デジタル信号プロセッサ( ｄｉｇｉｔａｌ ｓｉｇｎａｌ ｐｒｏｃｅｓｓｏｒ、ＤＳＰ )、特定用途向け集積回路( ａｐｐｌｉｃａｔｉｏｎ ｓｐｅｃｉｆｉｃ ｉｎｔｅｇｒａｔｅｄ ｃｉｒｃｕｉｔ、ＡＳＩＣ )、既存のプログラマブルゲートアレイ( ｆｉｅｌｄ ｐｒｏｇｒａｍｍａｂｌｅ ｇａｔｅ ａｒｒａｙ、ＦＰＧＡ )又は他のプログラマブル論理デバイス、トランジスタロジック、ディスクリートハードウェアコンポーネント等であり得る。また、汎用プロセッサはマイクロプロセッサであってもよく、プロセッサは汎用のプロセッサ等であればよい。
【０２１４】
また、本発明の実施例において、メモリは、揮発性メモリまたは不揮発性メモリのいずれであってもよく、揮発性メモリと不揮発性メモリの両方を含んでもよい。ここで、不揮発性メモリは、リードオンリーメモリ( ｒｅａｄ−ｏｎｌｙ ｍｅｍｏｒｙ、ＲＯＭ )、プログラマブルリードオンリーメモリ( ｐｒｏｇｒａｍｍａｂｌｅ ＲＯＭ、ＰＲＯＭ )、消去可能プログラマブルリードオンリーメモリ( ｅｒａｓａｂｌｅ ＰＲＯＭ、ＥＰＲＯＭ )、電気的消去可能プログラマブルリードオンリーメモリ( ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( ｒａｎｄｏｍ ａｃｃｅｓｓ ｍｅｍｏｒｙ、ＲＡＭ )であってよい。上述のメモリは、限定ではなく例示的であるが、例えば、本発明の実施例におけるメモリは、スタティックランダムアクセスメモリ( ｓｔａｔｉｃ ＲＡＭ、ＳＲＡＭ )、ダイナミックランダムアクセスメモリ( ｄｙｎａｍｉｃ ＲＡＭ、ＤＲＡＭ )、同期ダイナミックランダムアクセスメモリ( ｓｙｎｃｈｒｏｎｏｕｓ ＤＲＡＭ、ＳＤＲＡＭ )、デュアルデータレート同期ダイナミックランダムアクセスメモリ( ｄｏｕｂｌｅ ｄａｔａ ｒａｔｅ ＳＤＲＡＭ、ＤＤＲ ＳＤＲＡＭ )、拡張同期ダイナミックランダムアクセスメモリ( ｅｎｈａｎｃｅｄ ＳＤＲＡＭ、ＥＳＤＲＡＭ )、同期接続ダイナミックランダムアクセスメモリ( ｓｙｎｃｈ ｌｉｎｋ ＤＲＡＭ、ＳＬＤＲＡＭ )、及びダイレクトメモリバスランダムアクセスメモリ( Ｄｉｒｅｃｔ Ｒａｍｂｕｓ ＲＡＭ、ＤＲ ＲＡＭ )等であってもよいことを理解されたい。すなわち、本明細書に記載のシステム及び方法のメモリは、これら及び任意の他の適切なタイプのメモリを含むことを意図しているが、これらに限定されない。
【０２１５】
最後に、本発明の実施例及び添付の特許請求の範囲で使用される用語は、特定の実施例を説明する目的のためだけであり、本発明の実施例を限定することを意図していないことに留意されたい。
【０２１６】
例えば、本発明の実施例及び添付の特許請求の範囲で使用される単数形の「１つ」、「前記」、及び「当該」は、文脈が他の意味を明確に示さない限り、複数形も含むことを意図している。
【０２１７】
また、例えば、第１のネットワークデバイス及び第２のネットワークデバイスという用語は、本発明の実施例において使用され得るが、これらのネットワークデバイスは、これらの用語に限定されるべきではない。これらの用語は、ネットワークデバイスを互いに区別するためにのみ使用される。
【０２１８】
また、例えば、文脈に応じて、本明細書で使用される「……時」という用語は、「もし」または「……の場合」または「決定に応答して」または「検出に応答して」と解釈され得る。同様に、文脈に応じて、「決定された場合」または「検出された場合(条件または事象の提示された場合)」という句は、「決定された場合」または「決定された場合に応答する」または「検出された場合(条件または事象の提示された場合)」として解釈され得る。
【０２１９】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用することができるが、そのような実施は、本発明の実施例の範囲から逸脱するものと考えられるべきではない。
【０２２０】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０２２１】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが組み合わされてもよく、別のシステムに統合されてもよく、又はいくつかの特徴が省略されてもよく、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０２２２】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、各手段の一部又は全部を、必要に応じて選択して、実施することもできる。
【０２２３】
また、本発明の実施の形態における各機能部は、１つの処理部に集積されていてもよく、各部は、物理的に単独で存在していてもよく、２つ以上の部が１つの処理部に集積されていてもよい。
【０２２４】
ソフトウェア機能単位で実現され、独立した製品として販売又は使用される場合、コンピュータ読み取り可能な記録媒体に格納されてもよい。このような理解に基づいて、本発明の実施例の技術的思想の本質または従来技術に寄与する部分、または技術的思想の部分は、１つのコンピュータ装置(パーソナルコンピュータ、サーバ、またはネットワークデバイスなどであってもよい)に本発明の実施例に係る方法のステップの全部または一部を実行させるための複数の命令を含む１つの記憶媒体に記憶されたソフトウェア製品の形態で具現化されてもよい。また、前記記憶媒体としては、Ｕ-ディスク、リムーバブルハードディスク、リードオンリメモリ、ランダムアクセスメモリ、磁気ディスク、光ディスク等のプログラムコードを記憶できる種々の媒体を用いることができる。
【０２２５】
以上、本発明の実施例を具体的に説明したが、本発明の実施例の保護範囲はこれに限定されるものではなく、本発明の実施例の保護範囲内で当業者であれば容易に変更または置換を想到できるものであり、それらも本発明の実施例の保護範囲に包含されるものである。したがって、本発明の実施例の保護範囲は、特許請求の範囲の保護範囲を基準とするべきである。
【図１】
2020536399.tif 000003
【図２】
2020536399.tif 000004
【図３】
2020536399.tif 000005
【図４】
2020536399.tif 000006
【図５】
2020536399.tif 000007
【図６】
2020536399.tif 000008
【図７】
2020536399.tif 000009
【図８】
2020536399.tif 000010
【手続補正書】
【提出日】令和2年8月6日(2020.8.6)
【手続補正１】
【補正対象書類名】特許請求の範囲
【補正対象項目名】全文
【補正方法】変更
【補正の内容】
【特許請求の範囲】
【請求項１】
非アクティブ状態での端末デバイスに応用されるデータ伝送方法であって、
前記非アクティブ状態は、前記端末デバイス及び前記第１のネットワークデバイスの双方が前記端末デバイスのコンテキスト情報を保持しており、前記第１のネットワークデバイスとコアネットワークデバイスとの間で前記端末デバイスの通信接続を保持しており、
前記方法は、
前記第１のネットワークデバイスが第２のネットワークデバイスを介して前記端末デバイスに前記端末デバイスの下りデータを送信することを含み、
前記第１のネットワークデバイスが前記第２のネットワークデバイスと異なる
ことを特徴とするデータ伝送方法。
【請求項２】
前記第１のネットワークデバイスが第２のネットワークデバイスを介して前記端末デバイスに前記端末デバイスの下りデータを送信することは、
前記第１のネットワークデバイスが前記コアネットワークデバイスにより送信された前記下りデータを受信し、前記端末デバイスへの第１のページングメッセージの送信に失敗した場合、前記第２のネットワークデバイスを介して前記端末デバイスに前記下りデータを送信することを含む
ことを特徴とする請求項１に記載のデータ伝送方法。
【請求項３】
前記第１のネットワークデバイスが第２のネットワークデバイスを介して前記端末デバイスに前記端末デバイスの下りデータを送信する前に、前記方法は、さらに、
前記第１のネットワークデバイスが第１のトンネルを介して前記第２のネットワークデバイスに前記下りデータを転送することを含み、
前記第１のトンネルは、前記第２のネットワークデバイスにより確立された、前記第１のネットワークデバイスから前記第２のネットワークデバイスへのトンネルである
ことを特徴とする請求項２に記載のデータ伝送方法。
【請求項４】
前記第１のトンネルは、前記第２のネットワークデバイスが前記コアネットワークデバイスにより送信された前記第１のネットワークデバイスの識別子情報及び第１の指示情報に基づいて確立したものであり、前記第１の指示情報は、前記第２のネットワークデバイスが前記第１のトンネルを確立するように指示する
ことを特徴とする請求項３に記載のデータ伝送方法。
【請求項５】
前記第１のネットワークデバイスが第１のトンネルを介して前記第２のネットワークデバイスに前記下りデータを転送する前に、前記方法は、さらに、
前記第１のネットワークデバイスが前記コアネットワークデバイスに第２の指示情報を送信することを含み、前記第２の指示情報は、前記コアネットワークデバイスが前記第１のコンテキスト情報、及び前記第１のネットワークデバイスと前記コアネットワークデバイスとの前記端末デバイスの通信接続を保持するために用いられる
ことを特徴とする請求項３又は４に記載のデータ伝送方法。
【請求項６】
前記第１のネットワークデバイスが前記コアネットワークデバイスに第２の指示情報を送信することは、
前記第１のネットワークデバイスが前記コアネットワークデバイスにページング要求メッセージを送信することを含み、前記ページング要求メッセージは、前記コアネットワークデバイスが前記端末デバイスに第２のページングメッセージを送信するように要求し、  前記ページング要求メッセージは前記第２の指示情報を含む
ことを特徴とする請求項５に記載のデータ伝送方法。
【請求項７】
前記第１のネットワークデバイスが第２のネットワークデバイスを介して前記端末デバイスに前記端末デバイスの下りデータを送信することは、
前記コアネットワークデバイスが第３のトンネルを介して前記第２のネットワークデバイスに前記下りデータを転送するように、前記第１のネットワークデバイスが第２のトンネルを介して前記コアネットワークデバイスに前記下りデータを転送することを含み、
前記第２のトンネルは、前記コアネットワークデバイスにより確立された、前記第１のネットワークデバイスから前記コアネットワークデバイスへのトンネルであり、前記第３のトンネルは、前記第２のネットワークデバイスにより確立された、前記コアネットワークデバイスから前記第２のネットワークデバイスへのトンネルである
ことを特徴とする請求項２に記載のデータ伝送方法。
【請求項８】
前記第２のトンネルは、前記コアネットワークデバイスが前記第１のネットワークデバイスにより送信された第３の指示情報に基づいて確立したものであり、前記第３の指示情報は、前記コアネットワークデバイスが前記第２のトンネルを確立するように指示する
ことを特徴とする請求項７に記載のデータ伝送方法。
【請求項９】
前記第３の指示情報は、前記コアネットワークデバイスが前記第１のコンテキスト情報、及び前記第１のネットワークデバイスと前記コアネットワークデバイスとの間の前記端末デバイスの通信接続を保持するように指示する
ことを特徴とする請求項８に記載のデータ伝送方法。
【請求項１０】
前記第１のネットワークデバイスが第２のトンネルを介して前記コアネットワークデバイスに前記下りデータを転送する前に、前記方法は、さらに、
前記第１のネットワークデバイスが前記コアネットワークデバイスに前記第３の指示情報を送信することを含む
ことを特徴とする請求項７〜９のいずれか１項に記載のデータ伝送方法。
【請求項１１】
前記第１のネットワークデバイスが前記コアネットワークデバイスに前記第３の指示情報を送信することは、
前記第１のネットワークデバイスが前記コアネットワークデバイスにページング要求メッセージを送信することを含み、前記ページング要求メッセージは、前記コアネットワークデバイスが前記端末デバイスに第２のページングメッセージを送信するように要求し、  前記ページング要求メッセージが前記第３の指示情報を含む
ことを特徴とする請求項１０に記載のデータ伝送方法。
【請求項１２】
前記第３のトンネルは、前記第２のネットワークデバイスが前記コアネットワークデバイスにより送信された第４の指示情報に基づいて確立したものであり、前記第４の指示情報は、前記第２のネットワークデバイスが前記第３のトンネルを確立するように指示する
ことを特徴とする請求項７に記載のデータ伝送方法。
【請求項１３】
請求項１〜１２のいずれか1項に記載のデータ伝送方法を実行するように構成される送受信ユニットを含む
ことを特徴とするネットワークデバイス。
【請求項１４】
端末デバイスの下りデータを受信し、前記端末デバイスに前記下りデータを送信するように構成される送受信ユニットを含み、
前記端末デバイスが非アクティブ状態にあり、前記非アクティブ状態は、前記端末デバイス及び前記第１のネットワークデバイスの双方が前記端末デバイスのコンテキスト情報を保持しており、前記第１のネットワークデバイスとコアネットワークデバイスとの間で前記端末デバイスの通信接続を保持しており、第１のネットワークデバイスが前記ネットワークデバイスと異なる
ことを特徴とするネットワークデバイス。
【請求項１５】
前記送受信ユニットは、
前記端末デバイスの下りデータを受信する前に、第１のトンネルを確立し、
前記第１のトンネルを介して前記第１のネットワークデバイスにより送信された下りデータを受信するように構成され、
前記第１のトンネルは、前記第１のネットワークデバイスから前記ネットワークデバイスへのトンネルである、
ことを特徴とする請求項１４に記載のネットワークデバイス。
【国際調査報告】
2020536399.tif 000011
2020536399.tif 000012
2020536399.tif 000013
2020536399.tif 000014